(57)【要約】【課題】手首装着装置の傾斜に少なくとも部分的に基づいた動作の実行。【解決手段】手首装着装置上におけるソフトウェア・イベントの発生を判定するステップと、通知が、ソフトウェア・イベントを表す情報を有するように、ソフトウェア・イベントに少なくとも部分的に基づいて通知を判定するステップと、通知のレンダリングをさせるステップと、手首装着装置がユーザー対向方向から非ユーザー対向法に傾斜させられたと判定するステップと、手首装着装置がユーザー対向方向から非ユーザー対向方向に傾斜させられたという判定から通知傾斜作動閾値持続時間内において手首装着装置が非ユーザー対向方向から別のユーザー対向方向に傾斜させられたと判定するステップと、ソフトウェア・イベントと関連付けられた少なくとも１つの動作の実行をさせるステップと、を有する方法が開示される。【選択図】図６Ａ
2017511932.tif 000002
【特許請求の範囲】
【請求項１】
手首装着装置上におけるソフトウェア・イベントの発生を判定するステップと、
通知が、前記ソフトウェア・イベントを表す情報を有するように、前記ソフトウェア・イベントに少なくとも部分的に基づいて、前記通知を判定するステップと、
前記通知のレンダリングをさせるステップと、
前記手首装着装置がユーザー対向方向から非ユーザー対向方向に傾斜させられたと判定するステップと、
前記手首装着装置が前記ユーザー対向方向から前記非ユーザー対向方向に傾斜させられたという判定から通知傾斜作動閾値持続時間内において前記手首装着装置が前記非ユーザー対向方向から別のユーザー対向方向に傾斜させられたと判定するステップと、
前記手首装着装置が前記ユーザー対向方向から前記非ユーザー対向方向に傾斜させられたという判定から前記通知傾斜作動閾値持続時間内において前記手首装着装置が前記非ユーザー対向方向から前記その他のユーザー対向方向に傾斜させられたという判定に少なくとも部分的に基づいて、前記ソフトウェア・イベントと関連付けられた少なくとも１つの動作の実行をさせるステップと、
を有する方法。
【請求項２】
前記ソフトウェア・イベントと関連付けられた前記動作は、
前記ソフトウェア・イベントと関連付けられた補足情報を判定するステップと、
前記補足情報の少なくとも一部分のレンダリングをさせるステップと、
を有する請求項１に記載の方法。
【請求項３】
前記通知は、前記補足情報の一部分を有することに失敗している請求項２に記載の方法。
【請求項４】
前記通知は、前記補足情報を除外している請求項２または３のいずれか１項に記載の方法。
【請求項５】
前記通知の表示から前記補足情報の表示への遷移を示すアニメーションの表示をさせるステップを更に有する請求項２ないし４のいずれか１項に記載の方法。
【請求項６】
前記手首装着装置が前記非ユーザー対向方向から前記その他のユーザー対向方向に向かって傾斜していると判定するステップを更に有し、前記アニメーションの表示をさせるステップは、前記手首装着装置が前記非ユーザー対向方向から前記その他のユーザー対向方向に向かって傾斜しているという判定に少なくとも部分的に基づいている請求項５に記載の方法。
【請求項７】
前記手首装着装置が前記ユーザー対向方向から前記非ユーザー対向方向に傾斜させられたという判定以降に前記通知傾斜作動閾値持続時間が経過していると判定するステップと、
前記手首装着装置が前記ユーザー対向方向から前記非ユーザー対向方向に傾斜させられたという判定以降に前記通知傾斜作動閾値持続時間が経過しているという判定に少なくとも部分的に基づいて前記アニメーションの表示を終了するステップと、
を更に有する請求項５または６のいずれか１項に記載の方法。
【請求項８】
前記手首装着装置が前記ユーザー対向方向から前記非ユーザー対向方向に傾斜させられたと判定するステップは、
前記手首装着装置がユーザー対向方向において方向付けされていると判定するステップと、
前記手首装着装置がユーザー対向方向閾値を超えた方向において方向付けされた状態になったと判定するステップと、
を有する請求項１ないし７のいずれか１項に記載の方法。
【請求項９】
前記手首装着装置が前記非ユーザー対向方向から前記その他のユーザー対向方向に傾斜させられたと判定するステップは、前記手首装着装置がユーザー対向方向閾値内の方向において方向付けされた状態になったと判定するステップを有する請求項８に記載の方法。
【請求項１０】
前記手首装着装置が別の非ユーザー対向方向において方向付けされていると判定するステップと、
前記手首装着装置が前記ユーザー対向方向において方向付けされた状態になったと判定するステップであって、前記手首装着装置が前記ユーザー対向方向から前記非ユーザー対向方向に傾斜させられたという判定は、前記手首装着装置が前記その他の非ユーザー対向方向において方向付けされているという判定によって予測される、ステップと、
を更に有する請求項８または９のいずれか１項に記載の方法。
【請求項１１】
前記手首装着装置上における前記ソフトウェア・イベントの別の発生を判定するステップと、
別の通知が、前記ソフトウェア・イベントを表す情報を有するように、前記ソフトウェア・イベントに少なくとも部分的に基づいて前記別の通知を判定するステップと、
前記通知のレンダリングをさせるステップと、
前記手首装着装置がユーザー対向方向から通知終了向きに再方向付けされたと判定するステップと、
前記手首装着装置が前記ユーザー対向方向から前記通知終了向きに再方向付けされたという判定に少なくとも部分的に基づいて前記その他の通知のレンダリングを終了するステップと、
を更に有する請求項１ないし１０のいずれか１項に記載の方法。
【請求項１２】
請求項１ないし１１のいずれか１項に記載の方法を実行するための手段を有する装置。
【請求項１３】
前記方法を実行する前記手段は、少なくとも１つのプロセッサと、少なくとも１つのメモリと、を有し、前記メモリは、実行された際に、前記装置が請求項１ないし１１のいずれか１項に記載の方法を実行するようにする機械可読命令を有する請求項１２に記載の装置。
【請求項１４】
ディスプレイを更に有し、前記通知は、視覚通知を有し、前記通知のレンダリングの起動は、前記ディスプレイ上において前記視覚通知を表示するステップを有する請求項１２または１３のいずれか１項に記載の装置。
【請求項１５】
実行された際に、請求項１ないし１１のいずれか１項に記載の方法を実行する命令を有する少なくとも１つのコンピュータ可読媒体。
【発明の詳細な説明】
【技術分野】
【０００１】
本出願は、一般に、手首装着装置の傾斜に少なくとも部分的に基づいた動作の実行に関する。
【背景技術】
【０００２】
ユーザーが、自身の日々の生活の全体を通じて、自身の電子装置に益々依存するようになっていることから、このようなユーザーの日々の生活におけるこのような装置の重要性が増大している。いくつかの状況においては、ユーザーは、例えば、装置を携帯する負担から自らを解放するべく、自身の装置を装着することを所望する場合がある。例えば、ユーザーは、自身の装置を自身の手首上において装着することを所望する場合がある。このような状況において、手首装着装置は、様々なやり取りに関する問題をもたらす場合がある。簡単で直観的な手首装着装置用のインターフェイスを提供することが望ましいであろう。
【発明の概要】
【課題を解決するための手段】
【０００３】
本発明の実施例の様々な態様については、請求項において記述されている。
【０００４】
1つ以上の実施形態は、手首装着装置上におけるソフトウェア・イベントの発生を判定し、通知が、ソフトウェア・イベントを表す情報を有するように、ソフトウェア・イベントに少なくとも部分的に基づいて通知を判定し、通知のレンダリングをさせ、手首装着装置がユーザー対向方向から非ユーザー対向方向に傾斜させられたと判定し、手首装着装置がユーザー対向方向から非ユーザー対向方向に傾斜させられたという判定から通知傾斜作動閾値持続時間内において手首装着装置が非ユーザー対向方向から別のユーザー対向方向に傾斜させられたと判定し、手首装着装置がユーザー対向方向から非ユーザー対向方法に傾斜させられたという判定から通知傾斜作動閾値持続時間内において手首装着装置が非ユーザー対向方向からその他のユーザー対向方法に傾斜させられたという判定に少なくとも基づいて、ソフトウェア・イベントと関連付けられた少なくとも１つの動作の実行をさせる装置、コンピュータ可読媒体、一時的ではないコンピュータ可読媒体、コンピュータプログラムプロダクト、及び方法を提供しえる。
【０００５】
1つ以上の実施形態は、手首装着装置上においてソフトウェア・イベントの発生を判定する手段と、通知が、ソフトウェア・イベントを表す情報を有するように、ソフトウェア・イベントに少なくとも部分的に基づいて通知を判定する手段と、通知のレンダリングをさせる手段と、手首装着装置がユーザー対向方向から非ユーザー対向方向に傾斜させられたと判定する手段と、手首装着装置がユーザー対向方向から非ユーザー対向方法に傾斜させられたという判定から通知傾斜作動閾値持続時間内において手首装着装置が非ユーザー対向方向から別のユーザー対向方向に傾斜させられたと判定する手段と、手首装着装置がユーザー対向方向から非ユーザー対向方向に傾斜させられたという判定から通知傾斜作動閾値持続時間内において手首装着装置が非ユーザー対向方向からその他のユーザー対向方向に傾斜させられたという判定に少なくとも部分的に基づいて、ソフトウェア・イベントと関連付けられた少なくとも１つの動作の実行をさせる手段と、を有する装置、コンピュータ可読媒体、コンピュータプログラムプロダクト、及び一時的ではないコンピュータ可読媒体を提供しえる。
【０００６】
少なくとも１つの例示用の実施形態においては、ソフトウェア・イベントと関連付けられた動作は、ソフトウェア・イベントと関連付けられた補足情報の判定と、補足情報の少なくとも一部分のレンダリングの起動と、を有する。
【０００７】
少なくとも１つの例示用の実施形態においては、通知は、補足情報の一部分を有することに失敗している。
【０００８】
少なくとも１つの例示用の実施形態においては、通知は、視覚通知、可聴通知、または触覚通知のうちの少なくとも１つを有する。
【０００９】
少なくとも１つの例示用の実施形態においては、通知のレンダリングの起動は、視覚通知の表示の起動、可聴通知の作動の起動、または触覚通知の作動の起動のうちの少なくとも１つを有する。
【００１０】
少なくとも１つの例示用の実施形態においては、補足情報は、視覚補足情報、可聴補足情報、または触覚補足情報のうちの少なくとも１つを有する。
【００１１】
1つ以上の例示用の実施形態は、視覚通知の表示から視覚補足情報の表示への遷移を示すアニメーションの表示の起動を更に実行している。
【００１２】
1つ以上の例示用の実施形態は、手首装着装置が、非ユーザー対向方向からその他のユーザー対向方向に向かって傾斜しているという判定を更に実行し、アニメーションの表示の起動は、手首装着装置が非ユーザー対向方向からその他のユーザー対向方向に向かって傾斜しているという判定に少なくとも部分的に基づいている。
【００１３】
少なくとも１つの例示用の実施形態においては、アニメーションの表示の起動は、手首装着装置の現時点の傾斜方向の判定と、傾斜方向を非ユーザー対向方向とその他のユーザー対向方向の間の百分率差として表す傾斜進捗百分率の判定と、傾斜進捗百分率に等しいアニメーション進捗百分率に対応したアニメーションのフレームの判定と、を有する。
【００１４】
1つ以上の例示用の実施形態は、手首装着装置がユーザー対向方向から非ユーザー対向方向に傾斜させられたという判定以降に通知傾斜作動閾値持続時間が経過したという判定と、手首装着装置がユーザー対向方向から非ユーザー対向方向に傾斜させられたという判定以降に通知傾斜作動閾値持続時間が経過したという判定に少なくとも部分的に基づいたアニメーションの表示の終了と、を更に実行する。
【００１５】
少なくとも１つの例示用の実施形態においては、アニメーションの終了は、アニメーションの開始フレームが表示される時点までのアニメーションの進捗の逆転と、アニメーションを伴わない視覚通知の表示の起動と、を有する。
【００１６】
少なくとも１つの例示用の実施形態においては、通知は、補足情報を除外している。
【００１７】
少なくとも１つの例示用の実施形態においては、ソフトウェア・イベントは、メッセージの受信であり、ソフトウェア・イベントの発生の判定は、メッセージの受信を有する。
【００１８】
少なくとも１つの例示用の実施形態においては、通知は、メッセージの送信者を示す情報を有する。
【００１９】
少なくとも１つの例示用の実施形態においては、補足情報は、メッセージの本文の少なくとも一部分である。
【００２０】
少なくとも１つの例示用の実施形態においては、ソフトウェア・イベントは、カレンダエントリと関連付けられたカレンダイベントの発生であり、ソフトウェア・イベントの発生の判定は、現時点の時刻がカレンダエントリの発生の時刻と対応しているという判定を有する。
【００２１】
少なくとも１つの例示用の実施形態においては、通知は、カレンダエントリのタイトルを示す情報を有する。
【００２２】
少なくとも１つの例示用の実施形態においては、通知は、カレンダエントリの発生の時刻を示す情報を有する。
【００２３】
少なくとも１つの例示用の実施形態においては、補足情報は、カレンダエントリの本文の少なくとも一部分である。
【００２４】
少なくとも１つの例示用の実施形態においては、ソフトウェア・イベントは、通話の受信であり、ソフトウェア・イベントの発生の判定は、通話の受信を有する。
【００２５】
少なくとも１つの例示用の実施形態においては、通知は、通話の発信者を示す情報を有する。
【００２６】
少なくとも１つの例示用の実施形態においては、ソフトウェア・イベントと関連付けられた動作は、通話の応答を有する。
【００２７】
少なくとも１つの例示用の実施形態においては、ソフトウェア・イベントと関連付けられた動作は、通話の拒絶を有する。
【００２８】
少なくとも１つの例示用の実施形態においては、手首装着装置がユーザー対向方向から非ユーザー対向方向に傾斜させられたという判定は、手首装着装置がユーザー対向方向において方向付けされているという判定と、手首装着装置が、ユーザー対向方向閾値を超えた方向において方向付けされた状態になったという判定と、を有する。
【００２９】
少なくとも１つの例示用の実施形態においては、ユーザー対向方向閾値は、それを超えた場合に、向きが非ユーザー対向方向において方向付けされていると見なされる方向である。
【００３０】
少なくとも１つの例示用の実施形態においては、ユーザー対向方向閾値は、その内部においては、向きがユーザー対向方向において方向付けされていると見なされる方向である。
【００３１】
少なくとも１つの例示用の実施形態においては、方向がユーザー対向方向閾値を超えていることは、ユーザー対向方向閾値を超えた手首の回外運動を示している。
【００３２】
少なくとも１つの例示用の実施形態においては、ユーザー対向方向閾値は、手首装着装置がその上部において装着されている手首が、解剖学的向きと水平方向において回内運動された向きの間の向きにあることに対応している。
【００３３】
少なくとも１つの例示用の実施形態においては、ユーザー対向方向閾値は、手首装着装置がその上部において装着されている手首が、解剖学的向きにあることに対応している。
【００３４】
少なくとも１つの例示用の実施形態においては、ユーザー対向方向閾値は、手首装着装置がその上部において装着されている手首が、４５度だけ回内運動された向きにある向きにあることに対応している。
【００３５】
少なくとも１つの例示用の実施形態においては、方向がユーザー対向方向閾値を超えていることは、重力が、ユーザー対向方向閾値から上向きである方向にあることを示している。
【００３６】
少なくとも１つの例示用の実施形態においては、ユーザー対向方向閾値は、重力が、手首装着装置の背面に対して垂直と手首装着装置の上部から直接的に上向きの間の方向にあることに対応している。
【００３７】
少なくとも１つの例示用の実施形態においては、ユーザー対向方向閾値は、重力が、手首装着装置の上部から直接的に上向きである方向にあることに対応している。
【００３８】
少なくとも１つの例示用の実施形態においては、ユーザー対向方向閾値は、重力が、手首装着装置の背面に対して垂直と手首装着装置の上部から直接的に上向きの間の中央値における方向にあることに対応している。
【００３９】
少なくとも１つの実施形態においては、手首装着装置が非ユーザー対向方向からその他のユーザー対向方向に傾斜させられたという判定は、手首装着装置が、ユーザー対向方向閾値内の方向において方向付けられた状態になったという判定を有する。
【００４０】
1つ以上の例示用の実施形態は、手首装着装置が、別の非ユーザー対向方向において方向付けられているという判定と、手首装着装置が、ユーザー対向方向において方向付けされた状態になったという判定と、を更に実行し、手首装着装置がユーザー対向方向から非ユーザー対向方向に傾斜させられたという判定は、手首装着装置がその他の非ユーザー対向方向において方向付けされているという判定によって予測されている。
【００４１】
1つ以上の例示用の実施形態は、手首装着装置がユーザー対向方向から非ユーザー対向方向に傾斜させられたという判定の前に、手首装着装置がユーザー対向方向から別の非ユーザー対向方向に傾斜させられたという判定と、手首装着装置がユーザー対向方向からその他の非ユーザー対向方向に傾斜させられたという判定以降に通知傾斜作動閾値持続時間が経過したという判定と、通知傾斜作動閾値持続時間が経過したという判定に少なくとも部分的に基づいたソフトウェア・イベントと関連付けられた動作の実行の回避と、を更に実行する。
【００４２】
1つ以上の例示用の実施形態は、手首装着装置上におけるソフトウェア・イベントの別の発生の判定と、別の通知が、ソフトウェア・イベントを表す情報を有するように、ソフトウェア・イベントに少なくとも部分的に基づいた別の通知の判定と、通知のレンダリングの起動と、手首装着装置がユーザー対向方向から通知終了向きに再方向付けされたという判定と、手首装着装置がユーザー対向方向から通知終了向きに再方向付けされたという判定に少なくとも部分的に基づいたその他の通知のレンダリングの終了と、を更に実行する。
【００４３】
少なくとも１つの例示用の実施形態においては、通知終了向きは、手首装着装置がその上部において装着されている手首の前腕が解剖学的位置にあることを示している。
【００４４】
少なくとも１つの例示用の実施形態においては、通知終了向きは、重力が通知終了重力閾値の横向きの状態にあることを示している。
【００４５】
少なくとも１つの例示用の実施形態においては、通知終了重力閾値は、純粋な横向きの方向から４５度の方向である。
【００４６】
以下、本発明の実施形態の更に十分な理解のために、添付図面との関連において、以下の説明を参照されたい。
【図面の簡単な説明】
【００４７】
【図１】少なくとも１つの例示用の実施形態による装置を示すブロックダイアグラムである。
【図２】ユーザーとの関係において、場所、向き、および／またはこれらに類似したものの解剖学的用語を示す図である。
【図３Ａ】少なくとも１つの例示用の実施形態による手首の向きを示す図である。
【図３Ｂ】少なくとも１つの例示用の実施形態による手首の向きを示す図である。
【図３Ｃ】少なくとも１つの例示用の実施形態による手首の向きを示す図である。
【図３Ｄ】少なくとも１つの例示用の実施形態による手首の向きを示す図である。
【図４Ａ】少なくとも１つの例示用の実施形態による手首装着装置の向きを示す図である。
【図４Ｂ】少なくとも１つの例示用の実施形態による手首装着装置の向きを示す図である。
【図４Ｃ】少なくとも１つの例示用の実施形態による手首装着装置の向きを示す図である。
【図４Ｄ】少なくとも１つの例示用の実施形態による手首装着装置の向きを示す図である。
【図５Ａ】少なくとも１つの例示用の実施形態による手首装着装置の向きを示す図である。
【図５Ｂ】少なくとも１つの例示用の実施形態による手首装着装置の向きを示す図である。
【図５Ｃ】少なくとも１つの例示用の実施形態による手首装着装置の向きを示す図である。
【図５Ｄ】少なくとも１つの例示用の実施形態による手首装着装置の向きを示す図である。
【図５Ｅ】少なくとも１つの例示用の実施形態による手首装着装置の向きを示す図である。
【図５Ｆ】少なくとも１つの例示用の実施形態による手首装着装置の向きを示す図である。
【図６Ａ】少なくとも１つの例示用の実施形態による通知を示す図である。
【図６Ｂ】少なくとも１つの例示用の実施形態による通知を示す図である。
【図６Ｃ】少なくとも１つの例示用の実施形態による通知を示す図である。
【図７】少なくとも１つの例示用の実施形態による手首装着装置の傾斜に少なくとも部分的に基づいた動作の実行と関連付けられた活動を示すフロー図である。
【図８】少なくとも１つの例示用の実施形態による手首装着装置の傾斜に少なくとも部分的に基づいた動作の実行と関連付けられた活動を示すフロー図である。
【図９】少なくとも１つの例示用の実施形態による手首装着装置の傾斜に少なくとも部分的に基づいた動作の実行と関連付けられた活動を示すフロー図である。
【図１０】少なくとも１つの例示用の実施形態による手首装着装置の傾斜に少なくとも部分的に基づいた動作の実行と関連付けられた活動を示すフロー図である。
【図１１】少なくとも１つの例示用の実施形態による手首装着装置の傾斜に少なくとも部分的に基づいた動作の実行と関連付けられた活動を示すフロー図である。
【図１２】少なくとも１つの例示用の実施形態による手首装着装置の傾斜に少なくとも部分的に基づいた動作の実行と関連付けられた活動を示すフロー図である。
【図１３】少なくとも１つの例示用の実施形態による手首装着装置の傾斜に少なくとも部分的に基づいた動作の実行と関連付けられた活動を示すフロー図である。
【発明を実施するための形態】
【００４８】
本発明の実施形態及びその潜在的な利点については、添付図面の図１〜図１３を参照することにより、理解される。
【００４９】
以下、添付図面を参照し、いくつかの実施形態について更に十分に説明することとするが、これらの添付図面には、実施形態の、すべてではなく、いくつかが、示されている。本発明の様々な実施形態は、多くの異なる形態において実施することが可能であり、本明細書において記述されている実施形態に限定されるものと解釈してはならず、むしろ、これらの実施形態は、本開示が、適用可能な法的要件を充足するように、提供されるものである。同一の参照符号は、全体を通じて同一の要素を意味している。本明細書において使用されている「データ」、「コンテンツ」、「情報」という用語、並びに、類似した用語は、本発明の実施形態に従って、送信、受信、および／または保存される能力を有するデータを意味するべく、相互交換可能に使用されている場合がある。従って、すべてのこのような用語の使用は、本発明の実施形態の精神及び範囲を限定するものと解釈してはならない。
【００５０】
更には、本明細書において使用されている「回路」という用語は、（ａ）ハードウェアのみの回路実装形態（例えば、アナログ回路および／またはデジタル回路における実装形態）、（ｂ）回路と、装置が本明細書において記述されている1つ以上の機能を実行するようにするべく協働する1つ以上のコンピュータ可読メモリ上において保存されたソフトウェアおよび／またはファームウェア命令を有する1つ以上のコンピュータプログラムプロダクトの組合せ、及び（ｃ）ソフトウェアまたはファームウェアが物理的に存在していない場合にも、動作のためにソフトウェアまたはファームウェを必要としている、例えば、1つ以上のマイクロプロセッサまたは1つ以上のマイクロプロセッサの一部分などの回路を意味している。この「回路」の定義は、すべての請求項を含む本明細書におけるこの用語のすべての使用に対して適用される。又、更なる例として、本明細書において使用されている「回路」という用語は、1つ以上のプロセッサおよび／またはその1つ以上の部分と、付随するソフトウェアおよび／またはファームウェアと、を有する実装形態をも含む。又、別の例として、本明細書において使用されている「回路」という用語は、例えば、携帯電話機用のベースバンド集積回路またはアプリケーションプロセッサ集積回路、或いは、サーバー、セルラーネットワーク装置、その他のネットワーク装置内における類似の回路、および／または、その他の演算装置を含む。
【００５１】
物理媒体（例えば、揮発性または不揮発性メモリ装置）を意味する本明細書において定義されている「一時的ではないコンピュータ可読媒体」は、電磁信号を意味する「一時的なコンピュータ可読媒体」とは弁別されえる。
【００５２】
図１は、少なくとも１つの例示用の実施形態による電子装置１０などの装置を示すブロックダイアグラムである。但し、図示及び後述する電子装置は、本発明の実施形態の利益を享受しえる電子装置を例示するものに過ぎず、従って、本発明の範囲を限定するものと解釈してはならないことを理解されたい。電子装置１０が、例示を目的として、図示され、後述されることになるが、その他のタイプの電子装置が本発明の実施形態を容易に実施することができる。電子装置１０は、パーソナルデジタルアシスタント（ＰＤＡ：Ｐｅｒｓｏｎａｌ  Ｄｉｇｉｔａｌ  Ａｓｓｉｓｔａｎｔ）、ページャ、モバイルコンピュータ、デスクトップコンピュータ、テレビ、ゲーム装置、ラップトップコンピュータ、タブレットコンピュータ、メディアプレーヤー、カメラ、ビデオレコーダ、携帯電話機、装着可能装置、手首装着装置、腕時計装置、全地球測位システム（ＧＰＳ：Ｇｌｏｂａｌ  Ｐｏｓｉｔｉｏｎｉｎｇ  Ｓｙｓｔｅｍ）装置、自動車、キオスク、電子テーブル、および／または任意のその他のタイプの電子システムでありえる。更には、少なくとも１つの例示用の実施形態の装置は、完全な電子装置である必要はなく、その他の例示用の実施形態における電子装置の１つのコンポーネントまたはコンポーネントのグループでありえる。例えば、装置は、集積回路、集積回路の組、および／またはこれらに類似したものでありえる。
【００５３】
更には、装置は、移動性を提供するためのその意図とは無関係に、本発明の実施形態を容易に利用することができる。この観点において、本発明の実施形態は、モバイルアプリケーションとの関連において記述されている場合があるが、本発明の実施形態は、モバイル通信産業の内部及びその外部の両方における様々なその他のアプリケーションとの関連において利用されえることを理解されたい。例えば、装置は、大画面テレビ、電子テーブル、キオスク、自動車、および／またはこれらに類似したものなどの非携帯型装置の少なくとも一部分でありえる。
【００５４】
少なくとも１つの実施形態においては、電子装置１０は、プロセッサ１１と、メモリ１２と、を有する。プロセッサ１１は、任意のタイプのプロセッサ、コントローラ、組込み型コントローラ、プロセッサコア、および／またはこれらに類似したものでありえる。少なくとも１つの例示用の実施形態においては、プロセッサ１１は、装置が1つ以上の動作を実行するようにするべく、コンピュータプログラムコードを利用している。メモリ１２は、データの一時的保存用のキャッシュエリア、および／または、例えば、組み込まれえると共に、あるいは、着脱自在でありえる不揮発性メモリなどのその他のメモリを含む揮発性ランダムアクセスメモリ（ＲＡＭ：Ｒａｎｄｏｍ  Ａｃｃｅｓｓ  Ｍｅｍｏｒｙ）などの揮発性メモリを有することができる。不揮発性メモリは、ＥＥＰＲＯＭ、フラッシュメモリ、および／またはこれらに類似したものを有することができる。メモリ１２は、いくつかの情報片及びデータのうちのいずれかを保存することができる。情報及びデータは、本明細書において記述されている機能などの電子装置１０の1つ以上の機能を実装するべく、電子装置１０によって使用されえる。少なくとも１つの例示用の実施形態においては、メモリ１２は、メモリ及びコンピュータプログラムコードが、プロセッサとの協働状態において、装置が本明細書において記述されている1つ以上の動作を実行するようにするべく構成されるように、コンピュータプログラムコードを含む。
【００５５】
電子装置１０は、通信装置１５を更に有することができる。少なくとも１つの例示用の実施形態においては、通信装置１５は、送信機および／または受信機との動作可能な通信状態にある１つのアンテナ（または、複数のアンテナ）、有線コネクタ、および／またはこれらに類似したものを有する。少なくとも１つの例示用の実施形態においては、プロセッサ１１は、信号を送信機に提供し、あるいは、信号を受信器から受信している。信号は、通信インターフェイス規格に従ったシグナリング情報、ユーザーの発話、受信されたデータ、ユーザーによって生成されたデータ、および／またはこれらに類似したものを有することができる。通信装置１５は、1つ以上の無線インターフェイス規格、通信プロトコル、変調タイプ、及びアクセスタイプによって動作することができる。例として、電子通信装置１５は、第２世代（２Ｇ）無線通信プロトコルであるＩＳ−１３６（時分割多重アクセス（ＴＤＭＡ：Ｔｉｍｅ  Ｄｉｖｉｓｉｏｎ  Ｍｕｌｔｉｐｌｅ  Ａｃｃｅｓｓ））、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、及びＩＳ−９５（符号分割多重アクセス（ＣＤＭＡ（登録商標）：Ｃｏｄｅ  Ｄｉｖｉｓｉｏｎ  Ｍｕｌｔｉｐｌｅ  Ａｃｃｅｓｓ））、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００、広帯域ＣＤＭＡ（ＷＣＤＭＡ：Ｗｉｄｅｂａｎｄ  ＣＤＭＡ）、及び時分割同期ＣＤＭＡ（ＴＤ−ＳＣＤＭＡ：Ｔｉｍｅ  Ｄｉｖｉｓｉｏｎ−Ｓｙｎｃｈｒｏｎｏｕｓ  ＣＤＭＡ）などの第３世代（３Ｇ）無線通信プロトコル、および／または、第４世代（４Ｇ）無線通信プロトコル、８０２．１１などの無線ネットワーキングプロトコル、Ｂｌｕｅｔｏｏｔｈ（登録商標）などの近距離無線プロトコル、および／またはこれらに類似したものに従って動作することができる。通信装置１５は、Ｅｔｈｅｒｎｅｔ、デジタル加入者線（ＤＳＬ：Ｄｉｇｉｔａｌ  Ｓｕｂｓｃｒｉｂｅｒ  Ｌｉｎｅ）、非同期転送モード（ＡＴＭ：Ａｓｙｎｃｈｒｏｎｏｕｓ  Ｔｒａｎｓｆｅｒ  Ｍｏｄｅ）、および／またはこれらに類似したものなどの有線プロトコルに従って動作することができる。
【００５６】
プロセッサ１１は、オーディオ、ビデオ、通信、ナビゲーション、論理関数、および／またはこれらに類似したものを実装するための、並びに、例えば、本明細書において記述されている機能のうちの１つまたは複数を含む本発明の実施形態を実装するための、回路などの手段を有することができる。例えば、プロセッサ１１は、例えば、本明細書において記述されている機能のうちの１つまたは複数を含む様々な機能を実行するための、デジタル信号プロセッサ装置、マイクロプロセッサ装置、様々なアナログ−デジタルコンバータ、デジタル−アナログコンバータ、処理回路、及びその他のサポート回路などの手段を有することができる。装置は、その個々の能力に従って、これらの装置の間において、電子装置１０の制御及び信号処理機能を実行することができる。従って、プロセッサ１１は、変調及び送信の前に、メッセージ及びデータをエンコード及びインターリーブするための機能を有することができる。プロセッサ１は、内部ボイスコーダを更に有することが可能であり、内部データモデムを有することができる。更には、プロセッサ１１は、1つ以上のソフトウェアプログラムを動作させるための機能を有することが可能であり、これらのソフトウェアプログラムは、メモリ内において保存されることが可能であり、例えば、プロセッサ１１が、例えば、本明細書において記述されている機能のうちの１つまたは複数を含む少なくとも１つの実施形態を実装するようにすることもできる。例えば、プロセッサ１１は、従来のインターネットブラウザなどの接続プログラムを動作させることができる。接続プログラムは、電子装置１０が、例えば、ＴＣＰ（Ｔｒａｎｓｍｉｓｓｉｏｎ  Ｃｏｎｔｒｏｌ  Ｐｒｏｔｏｃｏｌ）、ＩＰ（Ｉｎｔｅｒｎｅｔ  Ｐｒｏｔｏｃｏｌ）、ＵＤＰ（Ｕｓｅｒ  Ｄａｔａｇｒａｍ  Ｐｒｏｔｏｃｏｌ）、ＩＭＡＰ（Ｉｎｔｅｒｎｅｔ  Ｍｅｓｓａｇｅ  Ａｃｃｅｓｓ  Ｐｒｏｔｏｃｏｌ）、ＰＯＰ（Ｐｏｓｔ  Ｏｆｆｉｃｅ  Ｐｒｏｔｏｃｏｌ）、ＳＭＴＰ（Ｓｉｍｐｌｅ  Ｍａｉｌ  Ｔｒａｎｓｆｅｒ  Ｐｒｏｔｏｃｏｌ）、ＷＡＰ（Ｗｉｒｅｌｅｓｓ  Ａｐｐｌｉｃａｔｉｏｎ  Ｐｒｏｔｏｃｏｌ）、ＨＴＴＰ（ＨｙｐｅｒＴｅｘｔ  Ｔｒａｎｓｆｅｒ  Ｐｒｏｔｏｃｏｌ）、および／またはこれらに類似したものに従って、場所に基づいたコンテンツおよび／またはその他のウェブページコンテンツなどのインターネットコンテンツを送信及び受信することを許容することができる。
【００５７】
電子装置１０は、出力を提供すると共に、入力を受信するためのユーザーインターフェイスを有することができる。電子装置１０は、出力装置１４を有することができる。出力装置１４は、電鈴、イヤフォン、スピーカ、および／またはこれらに類似したものなどのオーディオ出力装置を有することができる。出力装置１４は、振動トランスデューサ、電子的変形可能表面、電子的変形可能構造、および／またはこれらに類似したものなどの触覚出力装置を有することができる。出力装置１４は、ディスプレイ、ライト、および／またはこれらに類似したものなどの視覚出力装置を有することができる。少なくとも１つの例示用の実施形態においては、装置は、情報の表示をさせ、表示の起動は、情報を装置に含まれているディスプレイ上において表示するステップ、情報を、ディスプレイを有する別個の装置に送信するステップ、および／またはこれらに類似したステップを有することができる。電子装置は、入力装置１３を有することができる。入力装置１３は、光センサ、近接センサ、マイクロフォン、接触センサ、力センサ、ボタン、キーパッド、モーションセンサ、磁界センサ、カメラ、および／またはこれらに類似したものを有することができる。接触センサ及びディスプレイは、接触ディスプレイとして特徴付けられえる。接触ディスプレイを有する実施形態においては、接触ディスプレイは、単一の接触点、複数の接触点、および／またはこれらに類似したものから入力を受け取るように構成されえる。このような実施形態においては、接触ディスプレイおよび／またはプロセッサは、位置、モーション、速度、接触面積、および／またはこれらに類似したものに少なくとも部分的に基づいて、入力を判定することができる。少なくとも１つの例示用の実施形態においては、装置は、入力の通知を受け取っている。装置は、センサ、ドライバ、別個の装置、および／またはこれらに類似したものから通知を受け取ることができる。入力を示す情報は、入力を示す、入力の一側面を示す、入力の発生を示す、またはこれらに類似したものを示す、情報を伝達する情報を有することができる。
【００５８】
電子装置１０は、抵抗性、静電容量性、赤外線、ひずみゲージ、表面波、光学撮像、分散信号技術、音響パルス認識、またはその他の技法のいずれかによる接触認識を可能にするように、次いで、場所を示す信号または接触と関連付けられたその他のパラメータを提供するように、構成されたものを含む様々な接触ディスプレイのいずれかを含むことができる。更には、接触ディスプレイは、選択物体（例えば、指、スタイラス、ペン、鉛筆、またはその他のポインティング装置）と接触ディスプレイの間の実際の物理的な接触として定義されえる接触イベントの形態における入力の通知を受け取るように構成されえる。或いは、この代わりに、接触イベントは、物理的接触が接触ディスプレイとの間において実施されない状態で、選択物体を接触ディスプレイの近傍に位置させること、表示された物体上においてホバリングさせること、或いは、予め定義された距離まで物体に接近すること、として定義されえる。従って、接触入力は、実際の物理的接触を伴う接触イベントと、物理的接触を伴わないが、接触ディスプレイへの選択物体の接近の結果などのその他の方式によって接触ディスプレイによって検出される接触イベントと、を含む接触ディスプレイによって検出される任意の入力を有することができる。接触ディスプレイは、接触入力との関係において接触スクリーンに印加された力と関連付けられた情報を受け取る能力を有することができる。例えば、接触スクリーンは、高押圧接触入力と低押圧接触入力を弁別することができる。少なくとも１つの例示用の実施形態においては、ディスプレイは、二次元情報、三次元情報、および／またはこれらに類似したものを表示することができる。
【００５９】
キーパッドを含む実施形態においては、キーパッドは、電子装置１０を動作させるための数字（例えば、０〜９）キー、シンボルキー（例えば、＃、＊）、アルファベットキー、および／またはこれらに類似したものを有することができる。例えば、キーパッドは、従来のＱＷＥＲＴＹキーパッド構成を有することができる。又、キーパッドは、関連付けられた機能を有する様々なソフトキーを有することができる。これに加えて、またはこの代わりに、電子装置１０は、ジョイスティックまたはその他のユーザー入力インターフェイスなどのインターフェイス装置を有することができる。
【００６０】
入力装置１３は、メディアキャプチャ要素を有することができる。メディアキャプチャ要素は、保存、表示、または送信のために、画像、ビデオ、および／またはオーディオをキャプチャする任意の手段でありえる。例えば、メディアキャプチャ要素がカメラモジュールである少なくとも１つの例示用の実施形態においては、カメラモジュールは、キャプチャされた画像からデジタル画像ファイルを形成しえるデジタルカメラを有することができる。従って、カメラモジュールは、レンズまたはその他の1つ以上の光学コンポーネントなどのハードウェア、および／または、キャプチャされた画像からデジタル画像ファイルを生成するのに必要なソフトウェアを有することができる。或いは、この代わりに、カメラモジュールは、画像を観察するためのハードウェアのみを有することが可能であり、電子装置１０のメモリ装置が、キャプチャされた画像からデジタル画像ファイルを生成するためのプロセッサ１１による実行用の命令をソフトウェアの形態において保存している。少なくとも１つの例示用の実施形態においては、カメラモジュールは、画像データの処理の際にプロセッサ１１を支援するコプロセッサ及び画像データを圧縮および／または圧縮解除するためのエンコーダおよび／またはデコーダなどの処理要素を更に有することができる。エンコーダおよび／またはデコーダは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）規格フォーマットなどの標準フォーマットに従ってエンコードおよび／またはデコードすることができる。
【００６１】
図２は、ユーザー２００との関係において、場所、向き、および／またはこれらに類似したものの解剖学的用語を示した図である。ユーザー２００は、解剖学的位置において描かれていることがわかる。解剖学的位置は、足が前方を向き、掌が前方に対向する状態において、脚部がわずかに離隔した状態で身体が直立している人体の姿勢に関するものである。ユーザー２００の身体は、前額軸、長手方向軸、及び矢状軸という互いに直交する３つの基本的な軸との関係において表現されえる。前額軸２０１は、ユーザー２００の中心点または軸を通じて右から左に延在する仮想的なラインに関するものである。長手方向軸２０２は、ユーザー２００の中心点または軸を通じて上方（上部）から下方（下部）に延在するラインに関するものである。矢状軸２０３は、ユーザー２００の中心点または軸を通じて前部から後部に延在するラインに関するものである。前額プレーン２０４は、ユーザー２００を前額軸２０１及び長手方向軸２０２に沿って前部半体と後部半体に分割するプレーンに関するものである。ユーザー２００が解剖学的位置にある際には、前額プレーンは、ユーザー２００の手首と手を分割することがわかる。横断方向プレーン２０５は、ユーザー２００を前額軸２０１及び矢状軸２０３を通じて上部部分と下部部分に分割するプレーンに関するものである。矢状プレーン２０６は、ユーザー２００を矢状軸２０３及び長手方向軸２０２を通じて左部分と右部分に分割するプレーンに関するものである。
【００６２】
図３Ａ〜図３Ｄは、少なくとも１つの例示用の実施形態による手首の向きを示す図である。図３Ａ〜図３Ｄの例は、例に過ぎず、請求項の範囲を限定するものではない。例えば、前腕のアライメントが変化することが可能であり、腕の位置が変化することが可能であり、手の向きが変化することが可能であり、または、これらに類似したものが変化することが可能である。
【００６３】
手首との関係における身体的運動は、基本的運動の観点において特徴付けされえる。例えば、複雑な手首の運動は、複雑な運動が別個の基本的運動を内蔵している方式によって特徴付けされえる。図３Ａ〜図３Ｄは、手首の回外運動と手首の回内運動の例を示している。但し、図３Ａ〜図３Ｄの例と関連付けられた向きおよび／または運動は、収縮、伸張、内転、外転、逸脱、および／またはこれらに類似したものなどのその他の基本的運動と組み合わせられえる。図３Ａ〜図３Ｄの向きは、手首の中立的向きとの関係において表現される。少なくとも１つの例示用の実施形態においては、手首の中立的向きは、手が、手の指（親指を含む）が一体となった状態で解剖学的位置に従って手首とアライメントするような向きである。少なくとも１つの例示用の実施形態においては、手首の中立的向きは、手が、指の位置とは無関係に、解剖学的位置に従って手首とアライメントするような向きである。任意の所与の状況において、利用される特定の中立的位置は変化することができる。
【００６４】
図３Ａは、少なくとも１つの例示用の実施形態による手首の回外運動及び回内運動を示す図である。手首の回外運動及び回内運動は、手首の回転をもたらす前腕の横方向の運動によって特徴付けられる。回外運動３０１は、前腕の横方向回転によって実行される、掌を前方に（前部に）または上向きに回転させることと関連する前腕の運動である。回内運動３０２は、前腕の横方向回転によって実行される、掌を後方に（後部に）または下向きに回転させることと関連する前腕の運動である。図３Ａの例は、ユーザー３００の手首を解剖学的向きにおいて示している。少なくとも１つの例示用の実施形態においては、手首の向きは、解剖学的向きからの運動を参照して特徴付けられている。図３Ｂの例においては、ユーザー３００の手首は、水平方向において回内運動された向きにある。少なくとも１つの例示用の実施形態においては、水平方向において回内運動された向きは、解剖学的向きからの９０度の回内運動によって特徴付けられる手首の向きである。水平方向において回内運動された向きは、肘と同一の方向に対向する手の掌と対応していることがわかる。少なくとも１つの例示用の実施形態においては、水平方向において回外運動された向きは、解剖学的向きから９０度の回外運動によって特徴付けられる手首の向きである。この結果、水平方向において回内運動された向きは、肘とは反対の方向において対向する手の掌に対応している。
【００６５】
手首の向きは、解剖学的向きからの回内運動の大きさまたは回外運動の大きさによって特徴付けされえることを理解されたい。例えば、水平方向において回内運動された向きは、９０度だけ回内運動された向きとして特徴付けられえる。同様に、水平方向において回外運動された向きは、９０度だけ回外運動された向きとして特徴付けられえる。
【００６６】
図３Ｃの例は、４５度だけ回内運動された向きにおけるユーザー３００の手首を示している。図３Ｃの向きは、ユーザー３００が、図３Ａの解剖学的向きから４５度だけ回内運動を実行した後のユーザー３００の手首を示していることがわかる。
【００６７】
図３Ｄの例は、４５度だけ回外運動された向きにおけるユーザー３００の手首を示している。図３Ｄの向きは、ユーザー３００が、図３Ａの解剖学的向きから４５度だけ回外運動を実行した後のユーザー３００の手首を示していることがわかる。
【００６８】
少なくとも１つの例示用の実施形態においては、一般化された回外運動および／または回内運動が傾斜と呼称されている。例えば、手首の回内運動は、手首の傾斜と呼称されることが可能であり、手首の回外運動は、傾斜と呼称されえる。
【００６９】
図４Ａ〜図４Ｄは、少なくとも１つの例示用の実施形態による手首装着装置の向きを示す図である。図４Ａ〜図４Ｄの例は、例に過ぎず、請求項の範囲を限定するものではない。例えば、前腕のアライメントが変化することが可能であり、腕の位置が変化することが可能であり、手の向きが変化することが可能であり、または、これらに類似したものが変化することができる。
【００７０】
ユーザーが、自身の生活の活動全体を通じて、自身の電子装置に益々依存するようになるのに伴って、多くのユーザーが、自身の装置の持続的な存在を所望しえる。この結果、電子装置が、装着可能な装置となることが望ましいであろう。少なくとも１つの例示用の実施形態においては、装着可能な装置は、ユーザーが装置を保持することなしに、ユーザーの身体が装置を支持するように、ユーザーの上部において装着されるべく構成された装置である。例えば、装置は、ユーザーの身体の一部分に、ユーザーの衣服の一部分に、または、これらに類似したものの一部分に、付着した状態となるように構成されえる。いくつかの状況においては、ユーザーによって装着されるように装置が構成される方式に少なくとも部分的に基づいて、装着可能な装置を特徴付けることが望ましいであろう。例えば、装置は、手首装着装置でありえる。少なくとも１つの例示用の実施形態においては、手首装着装置は、ユーザーの手首の上部において装着されるように構成された装置である。この結果、手首装着装置は、支持が、ユーザーによる能動的な手首装着装置の保持とは無関係なものとなるように、ユーザーの手首によって支持されるべく構成されている。例えば、手首装着装置は、腕時計装置、ブレスレット装置、および／またはこれらに類似したものでありえる。
【００７１】
少なくとも１つの例示用の実施形態においては、手首装着装置は、少なくとも１つのディスプレイを有する。少なくとも１つの例示用の実施形態においては、手首装着装置は、手首装着装置のディスプレイが、ユーザーの手の上部と同一の方向において対向するように、ユーザーの手首上において装着されるべく構成されている。この結果、手首装着装置のディスプレイは、ユーザーの手首の上部とアライメントされえる。従って、多くの状況において、手首の傾斜は、手首装着装置のディスプレイの傾斜を直接的にもたらしえる。この結果、手首の向きは、手首装着装置のディスプレイの向きを示しえる。多くの状況において、手首は、ユーザーが、装置のディスプレイを観察することを許容する方式で、ユーザーが装置のディスプレイを直接的に観察することを妨げる方式で、または、これらに類似した方式で、方向付けされえる。この結果、手首の向きは、ユーザーがディスプレイを観察する能力を有するかどうかを通知しえる。少なくとも１つの例示用の実施形態においては、装置の向きは、装置のディスプレイのユーザーの視野の観点において表現されえる。
【００７２】
少なくとも１つの例示用の実施形態においては、手首装着装置は、ユーザー対向方向において方向付けされている。少なくとも１つの例示用の実施形態においては、ユーザー対向方向は、手首装着装置のディスプレイが、ユーザーの眼に対向する方向と一貫性を有するように、装置が方向付けされていることを意味している。ユーザー対向方向は、必ずしも、ユーザーの現時点の眼の位置に向かってディスプレイを方向付ける必要はないことを理解されたい。ユーザー対向方向は、ユーザーの頭部が解剖学的位置にある状態において、ユーザーの頭部が手首装着装置に向かって方向付けられた状態において、または、これらに類似した状態において、ユーザーの眼から観察可能となる装置のディスプレイからの方向により、特徴付けされえる。この結果、手首装着装置は、ユーザーが、手首装着装置から離れる方向において観察するために自身の頭部を回転させた場合にも、ユーザー対向方向において方向付けされえる。
【００７３】
少なくとも１つの例示用の実施形態においては、手首装着装置は、非ユーザー対向方向において方向付けされている。少なくとも１つの例示用の実施形態においては、非ユーザー対向方向は、手首装着装置のディスプレイが、ユーザーの眼に対向する方向とは一貫性を有しないように装置が方向付けされていることを意味している。非ユーザー対向方向は、必ずしも、ユーザーの現時点の眼の位置から離れる方向にディスプレイを方向付けている必要はないことを理解されたい。非ユーザー対向方向は、ユーザーの頭部が解剖学的位置にある状態において、ユーザーの頭部が手首装着装置に向かって方向付けられた状態において、またはこれらに類似した状態において、ユーザーの眼から観察不能となる装置のディスプレイからの方向によって特徴付けされえる。この結果、手首装着装置は、ユーザーが、手首装着装置の観察角度を実現するために解剖学的位置とは一貫性を有していない方式によって自身の身体を捩じった場合にも、非ユーザー対向方向において方向付けされえる。
【００７４】
図４Ａの例は、ユーザー４０２に対してユーザー対向方向において方向付けされた装置４０１を示している。装置のディスプレイは、ユーザー４０２が自身の頭部を解剖学的位置において有している際にディスプレイがユーザー４０２によって観察されえるように、ユーザーの手首から上向きに方向付けられていることがわかる。図３Ｂに関連して記述したものと同様に、手首装着装置がその上部において装着されている手首の向きは、水平方向の回内運動された向きにおいて方向付けされていることがわかる。
【００７５】
図４Ｂの例は、ユーザー４０２に対してユーザー対向方向において方向付けされた装置４０１を示している。図４Ｂのユーザー対向方向は、図３Ｂのユーザー対向方向とは異なっていることがわかる。装置のディスプレイは、ユーザー４０２が自身の頭部を解剖学的位置において有する際にディスプレイがユーザー４０２によって観察されえるように、ユーザーの手首から上向きに方向付けされていることがわかる。手首装着装置がその上部において装着されている手首の向きが、１３５度だけ回外運動された向きにおいて方向付けされていることがわかる。
【００７６】
図４Ｃの例は、ユーザー４０２に対する非ユーザー対向方向において方向付けされた装置４０１を示している。装置のディスプレイは、ユーザー４０２が自身の頭部を解剖学的位置において有している際にユーザー４０２が装置４０１のディスプレイを観察しえないように、ユーザーの手首から上向きに方向付けられていることがわかる。例えば、ユーザー４０２の視準線は、装置４０１のディスプレイの表面に対して平行でありえる。図３Ｃとの関連において記述したものと同様に、手首装着装置がその上部において装着されている手首の向きが、水平方向において回内運動された向きにおいて方向付けされていることがわかる。
【００７７】
図４Ｄの例は、手首装着装置４０１がユーザー４０２の側部に位置するように、自身の前腕を方向付けしているユーザー４０２を示している。この結果、装置４０１は、非ユーザー対向方向において方向付けされえる。図４Ｄの例においては、手首装着装置がその上部において装着されている手首の前腕は、解剖学的位置にある。
【００７８】
少なくとも１つの例示用の実施形態においては、手首装着装置の向きの判定は、ユーザー対向方向閾値に少なくとも部分的に基づいている。少なくとも１つの例示用の実施形態においては、ユーザー対向方向閾値は、それを超えた場合に、向きが非ユーザー対向方向において方向付けされていると見なされる方向である。例えば、ディスプレイが、ユーザー対向方向閾値を超えた方向にある状況においては、装置は、装置の向きが非ユーザー対向方向にあると判定しえる。このような一例においては、ユーザーの手首は、ユーザー対向方向閾値を超えて回外運動されることが可能であり、ユーザー対向方向閾値内となるように不十分な大きさだけ回内運動されることが可能であり、または、これらに類似した内容が実行されえる。少なくとも１つの例示用の実施形態においては、ユーザー対向方向閾値は、その内部においては、向きがユーザー対向方向において方向付けされていると見なされる方向である。例えば、ディスプレイが、ユーザー対向方向閾値内の方向にある状況においては、装置は、装置の向きがユーザー対向方向にあると判定しえる。このような一例においては、ユーザーの手首は、ユーザー対向方向閾値を超えて回外運動されることに失敗することが可能であり、ユーザー対向方向閾値内となるように十分な大きさだけ回内運動されることが可能であり、または、これらに類似した内容が実行されえる。
【００７９】
少なくとも１つの例示用の実施形態においては、ユーザー対向方向閾値は、解剖学的向きを示している。このような一例においては、方向がユーザー対向方向閾値を超えていることは、ユーザー対向方向閾値を超えた手首の回外運動を示している。例えば、手首装着装置がその上部において装着されている手首が、図３Ｄの向きと同様に方向付けされている場合には、装置は、装置が非ユーザー対向方向において方向付けられていると判定しえる。このような一例においては、装置は、手首装着装置が、ユーザー対向方向閾値を超えた方向において方向付けされていると判定することができる。このような一例においては、方向がユーザー対向方向閾値内にあることは、ユーザー対向方向閾値内の向きへの手首の回内運動を示している。例えば、手首装着装置がその上部において装着されている手首が、図３Ｃの向きと同様に方向付けされている場合には、装置は、装置がユーザー対向方向において方向付けされていると判定しえる。このような一例においては、装置は、手首装着装置が、ユーザー対向方向閾値内の方向において方向付けされていると判定することができる。
【００８０】
ユーザー対向方向閾値は、様々な目的および／または表示属性に従って設定されえる。例えば、ユーザー対向方向閾値は、ディスプレイが、装置がユーザー対向方向閾値において方向付けされている際には実際に観察可能でありえるが、望ましくない方式で観察可能でありえるように、設定されえる。例えば、このような向きにおける観察角度は、ディスプレイ上において表示された情報をユーザーが正確に知覚することを困難にするものでありえる。少なくとも１つの例示用の実施形態においては、ユーザー対向方向閾値は、手首装着装置がその上部において装着されている手首が、解剖学的向きと水平方向において回内運動された向きの間の向きにあることに対応している。例えば、ユーザー対向方向閾値は、図３Ａの向きと図３Ｂの向きの間の方向における向きを示す方向に設定されえる。
【００８１】
少なくとも１つの例示用の実施形態においては、ユーザー対向方向閾値は、図３Ｃ、図４Ｃ、および／またはこれらに類似したものに関連して記述したものと同様に、４５度だけ回内運動された向きを示している。このような一例においては、方向がユーザー対向方向閾値を超えていることは、ユーザー対向方向閾値を超えた手首の回外運動および／または４５度だけ回内運動された向き未満の大きさの手首の回内運動を示している。例えば、手首装着装置がその上部において装着されている手首が、図３Ａの向きと同様に方向付けされている場合には、装置は、装置が非ユーザー対向方向において方向付けされていると判定しえる。このような一例においては、装置は、手首装着装置が、ユーザー対向方向閾値を超えた方向において方向付けされていると判定することができる。このような一例においては、方向がユーザー対向方向閾値内であることは、ユーザー対向方向閾値内の向きへの手首の回内運動を示している。例えば、手首装着装置がその上部において装着されている手首が、図３Ｂの向きと同様に方向付けされている場合には、装置は、装置がユーザー対向方向において方向付けされていると判定することができる。このような一例においては、装置は、手首装着装置が、ユーザー対向方向閾値内の方向において方向付けされていると判定することができる。
【００８２】
図５Ａ〜図５Ｆは、少なくとも１つの例示用の実施形態による手首装着装置の向きを示す図である。図５Ａ〜図５Ｆの例は、例に過ぎず、請求項の範囲を限定するものではない。例えば、手首装着装置の構成が変化することが可能であり、手首装着装置の向きが変化することが可能であり、手首装着装置によって含まれる要素が変化することが可能であり、または、これらに類似したものが変化することができる。
【００８３】
装置が手首装着装置の向きを判定しえる多数の方式が存在している。更には、将来において開発される手首装着装置の向きを判定する多くの方式も存在しえる。従って、手首装着装置が手首装着装置の向きを判定する方式は、必ずしも、請求項をなんらかの方法で限定するものではない。
【００８４】
例えば、手首装着装置は、神経インパルス、筋肉運動、および／またはこれらに類似したものを示す生理学的情報を受け取る電極などのセンサを有することができる。このような状況においては、手首装着装置は、手首装着装置の向きを判定するべく、このようなセンサ情報を評価することができる。このようなセンサは、このような生理学的情報の検出を許容する様々な位置において、手首装着装置によって収容されえる。
【００８５】
別の例においては、手首装着装置は、手首装着装置との関係において重力の方向を判定するように構成されえる。例えば、手首装着装置は、モーションセンサ、加速度計、ジャイロスコープ、および／またはこれらに類似したものなどの１つまたは複数センサを有することができる。このような一例においては、手首装着装置は、手首装着装置との関係における重力の方向を判定するべく、このようなセンサによって受け取られた情報を評価することができる。この結果、手首装着装置は、手首装着装置との関係における重力の方向に少なくとも部分的に基づいて、手首装着装置の向きを判定することができる。
【００８６】
少なくとも１つの例示用の実施形態においては、手首装着装置のディスプレイは、ディスプレイの上部がユーザーの尺骨に近接すると共に、ディスプレイの下部がユーザーの橈骨に近接するように、ユーザーの手首上において方向付けされるべく構成されている。例えば、図４Ａ〜図４Ｄの装置４０１は、装置４０１のディスプレイの上部がユーザー４０２の尺骨に近接すると共に、ディスプレイの下部がユーザー４０２の橈骨に近接するように、構成されえる。
【００８７】
図５Ａ〜図５Ｆの例は、装置５００を示しており、これは、ディスプレイ５０１を有する。図５Ａ〜図５Ｆの例においては、ディスプレイ上部５０２及びディスプレイ下部が表記されており、装置との関係において、重力の方向が示されている。図５Ａ〜図５Ｆの例においては、ディスプレイ５０１は、ディスプレイ上部５０２が、ユーザーの尺骨に近接し、ディスプレイ下部５０３が、ユーザーの橈骨に近接するように、ユーザーの手首上において方向付けされるべく構成されている。少なくとも１つの例示用の実施形態においては、ディスプレイとは反対である装置の面は、装置の背面と呼称される。図５Ａ〜図５Ｄの例においては、重力は、装置５００の背面を参照して示されている。少なくとも１つの例示用の実施形態においては、装置から横向きの方向は、ディスプレイの上部に対して垂直の成分を有する方向にある方向である。例えば、横向きの方向は、左向きの方向、右向きの方向、および／またはこれらに類似したものでありえる。図５Ｅ〜図５Ｆの例においては、重力は、装置５００との関係において横向きの方向を参照して示されている。図５Ａ〜図５Ｆの例における重力の方向は、横向きの成分の表現を伴うことなしに表現されているが、いくつかの状況においては、このような横向きの成分が存在しえる。図５Ｅ〜図５Ｄの例における重力の方向は、後ろ向きの成分、上向きの成分、下向きの成分、および／またはこれらに類似したものの表現を伴うことなしに表現されているが、いくつかの状況においては、このような後ろ向きの成分、上向きの成分、下向きの成分、および／またはこれらに類似したものが存在しえる。
【００８８】
図５Ａは、少なくとも１つの例示用の実施形態による手首装着装置の向きを示す図である。装置５００は、重力方向５０５が手首装着装置５００の背面に対して垂直になるように、方向付けされていることがわかる。少なくとも１つの例示用の実施形態においては、重力が装置の背面に対して垂直であることは、図３Ｂおよび／または図４Ａに関連して記述したものと同様に、水平方向において回内運動された向きを示している。
【００８９】
図５Ｂは、少なくとも１つの例示用の実施形態による手首装着装置の向きを示す図である。装置５００は、重力方向５０５が、装置５００の背面に対して垂直の方向とディスプレイ下部５０３から直接下向きの方向の間の方向にあるように、方向付けされていることがわかる。装置５００は、重力方向５１５が、装置５００の背面に対して垂直の方向とディスプレイ下部５０３から直接下向きの方向の間の中央値における方向にあるように、方向付けされていることがわかる。少なくとも１つの例示用の実施形態においては、重力が、装置の背面に垂直の方向とディスプレイの下部から直接下向きの方向の間の中央値における方向であることは、図４Ｂとの関連において記述したものと同様に、１３５度だけ回内運動された向きを示している。
【００９０】
図５Ｃは、少なくとも１つの例示用の実施形態による手首装着装置の向きを示す図である。装置５００は、重力方向５２５が、ディスプレイ上部５０２から直接上向きとなるように、方向付けされていることがわかる。少なくとも１つの例示用の実施形態においては、重力が、装置のディスプレイの上部から直接上向きであることは、図３Ａとの関連において記述したものと同様に、解剖学的な向きを示している。
【００９１】
図５Ｄは、少なくとも１つの例示用の実施形態による手首装着装置の向きを示す図である。装置５００は、重力方向５３５が、装置５００の背面に垂直の方向とディスプレイ上部５０２から直接上向きの方向の間の方向にあるように、方向付けされていることがわかる。装置５００は、重力方向５３５が、装置５００の背面に垂直の方向とディスプレイ上部５０２から直接上向きの方向の間の中央値における方向にあるように、方向付けされていることがわかる。少なくとも１つの例示用の実施形態においては、重力が、装置の背面に垂直の方向とディスプレイの上部から直接上向きの方向の間の中央値における方向にあることは、図３Ｃおよび／または図４Ｃとの関連において記述したものと同様に、４５度の回内運動の向きを示している。
【００９２】
図５Ｅは、少なくとも１つの例示用の実施形態による手首装着装置の向きを示す図である。装置５００は、重力方向５４５が、ディスプレイ５０１から直接横向きになるように、方向付けされていることがわかる。少なくとも１つの例示用の実施形態においては、重力が、装置のディスプレイから直接横向きであることは、図４Ｄの関連において記述したものと同様に、手首装着装置がその上部において装着されている手首の前腕が解剖学的位置にあることを示している。
【００９３】
図５Ｆは、少なくとも１つの例示用の実施形態による手首装着装置の向きを示す図である。装置５００は、重力方向５５５が、ディスプレイ５０１から直接横向きの方向とディスプレイ下部５０３から直接下向きの方向の間の方向にあるように、方向付けされていることがわかる。装置５００は、重力方向５３５が、純粋に横向きの方向から４５度の方向にあるように、方向付けされていることがわかる。少なくとも１つの実施形態においては、重力が、純粋に横向きの方向から４５度の方向にあることは、図４Ａの前腕の向きと図４Ｄの前腕の向きの間の前腕の向きを示している。
【００９４】
上述のように、装置は、ユーザー対向方向閾値に少なくとも部分的に基づいて、装置がユーザー対向方向において方向付けされているのかまたは非ユーザー対向方向において方向付けされているかを判定することができる。少なくとも１つの例示用の実施形態においては、ユーザー対向方向閾値は、重力が手首装着装置との関係において特定の方向にあることを示している。少なくとも１つの例示用の実施形態においては、方向が、ユーザー対向方向閾値を超えていることは、重力がユーザー対向方向閾値から上向きの方向にあることを示している。少なくとも１つの例示用の実施形態においては、方向が、ユーザー対向方向閾値内であることは、重力が、ユーザー対向方向閾値から下向きの方向にあることを示している。
【００９５】
少なくとも１つの例示用の実施形態においては、ユーザー対向方向閾値は、重力が、手首装着装置の背面に垂直と手首装着装置の上部から直接上向きの間の方向にあることに対応している。少なくとも１つの例示用の実施形態においては、ユーザー対向方向閾値は、重力が、手首装着装置の背面に垂直と手首装着装置の上部から直接上向きの間の中央値における方向にあることに対応している。例えば、ユーザー対向方向閾値は、図５Ｄの重力方向５３５と対応することができる。このような一例においては、重力が、重力方向５３５から上向きの方向にあることは、非ユーザー対向方向を示している。例えば、図５Ｃの重力方向５２５は、重力方向５３５から上向きであると見なされえる。従って、このような一例においては、図５Ｃにおいて示されている向きは、非ユーザー対向方向にあると判定されえる。同様に、このような一例においては、重力が、重力方向５３５から下向きの方向にあることは、ユーザー対向方向を示している。例えば、図５Ａの重力方向５０５及び図５Ｂの重力方向５１５は、重力方向５３５から下向きであると見なされえる。従って、このような一例においては、図５Ａ及び図５Ｂに示されている向きは、ユーザー対向方向にあると判定されえる。
【００９６】
少なくとも１つの例示用の実施形態においては、装置の前方向の重力方向は、装置が、非ユーザー対向方向にあることを示している。例えば、装置のディスプレイが、このような下向き対向方向において方向付けられていることは、ユーザーが装置を観察可能であることと矛盾しえる。例えば、ユーザーが、ユーザーの手首がユーザーの眼の下方にあるような姿勢をとっている際には、ディスプレイが下向き方向において方向付けされた際に、ユーザーの眼からディスプレイへの直接的な視準線の欠如が存在しえる。少なくとも１つの例示用の実施形態においては、方向が、ユーザー対向方向閾値を超えていることは、重力が、装置のディスプレイから前方向の方向にあることを示している。
【００９７】
図６Ａ〜図６Ｃは、少なくとも１つの例示用の実施形態による通知を示す図である。図６Ａ〜図６Ｃの例は、例に過ぎず、請求項の範囲を限定するものではない。例えば、通知の内容が変化することが可能であり、通知の視覚表現が変化することが可能であり、通知の向きが変化することが可能であり、または、これらに類似したものが変化することができる。
【００９８】
いくつかの状況においては、ユーザーは、ユーザーが、デスクトップコンピュータ、ラップトップコンピュータ、タブレットコンピュータ、或いは、場合によっては、ハンドヘルドコンピュータとやり取りするのと同一の方式によって手首装着装置とやり取りする際に、問題を有しえる。例えば、手首装着装置がユーザーの手首上において装着されることにより、ユーザーは、手首装着装置がその上部において装着されている手首の手により、手首装着装置に快適に接触することができなくなるであろう。この結果、接触センサにおける接触、ボタンを作動させるための接触、および／またはこれらに類似したものなどの装置の接触を必ずしも伴わない入力を提供することが望ましいであろう。
【００９９】
少なくとも１つの例示用の実施形態においては、装置は、装置の傾斜が入力であると判定している。例えば、ソフトウェア・イベントが発生することが可能であり、装置は、装置の傾斜に少なくとも部分的に基づいて、ソフトウェア・イベントに対して応答する方式を判定することができる。少なくとも１つの例示用の実施形態においては、装置は、ソフトウェア・イベントの発生を判定している。少なくとも１つの例示用の実施形態においては、ソフトウェア・イベントは、メッセージの受信である。このような例においては、ソフトウェア・イベントの発生の判定は、メッセージの受信を有することができる。少なくとも１つの例示用の実施形態においては、ソフトウェア・イベントは、カレンダイベントの発生である。このようなカレンダイベントは、カレンダエントリと関連付けられえる。このような一例においては、ソフトウェア・イベントの発生の判定は、現時点の時刻がカレンダエントリの発生時刻に対応しているという判定を有することができる。少なくとも１つの例示用の実施形態においては、ソフトウェア・イベントは、通話の受信である。このような一例においては、ソフトウェア・イベントの発生の判定は、通話の受信を有することができる。
【０１００】
多くの状況においては、手首装着装置には、ユーザーが様々な身体的活動を実行するのに伴って、大量の運動が伴っている。従って、このような身体的活動の運動が入力であると判定することを回避することが望ましいであろう。この結果、入力を装置との間のユーザーのやり取りの方式を示す特定の運動に基づいたものとすることが望ましいであろう。例えば、多くの状況において、ユーザーは、ディスプレイを観察することにより、装置とやり取りしている。この結果、装置との間のユーザーのやり取りは、しばしば、装置がユーザー対向方向において方向付けされていることを伴いえる。この結果、装置のユーザー対向方向を参照した装置の傾斜運動に応答して、装置によって実行されるべき動作を判定することが望ましいであろう。例えば、装置のユーザー対向向きを伴っていない装置の傾斜に基づいて動作の実行を回避することが望ましいであろう。このような一例においては、このようなユーザー対向向きの欠如は、装置との間のやり取りを伴っていないユーザーによって実行された運動を示しえる。
【０１０１】
少なくとも１つの例示用の実施形態においては、装置は、装置がユーザー対向方向において方向付けされる前に発生した装置の傾斜を示す情報を無視している。例えば、装置は、装置がユーザー対向方向において方向付けされた後の装置の傾斜に少なくとも部分的に基づいて、実行するべき1つ以上の動作を判定しえる。このような一例においては、装置は、装置がユーザー対向方向にある前の装置の傾斜を示す情報を排除することができる。
【０１０２】
上述のように、装置は、メッセージの受信、カレンダイベントの発生、通話の受信、および／またはこれらに類似したものなどのソフトウェア・イベントの発生を判定しえる。このような一例においては、装置は、ソフトウェア・イベントに少なくとも部分的に基づいてレンダリングされるべき通知を判定することができる。この結果、通知は、ソフトウェア・イベントを示す情報を有することができる。例えば、ソフトウェア・イベントがメッセージの受信である状況においては、通知は、連絡先情報、氏名情報、住所情報、電話番号情報、および／またはこれらに類似したものなどのメッセージの送信者を示す情報を有することができる。別の例においては、ソフトウェア・イベントがカレンダイベントの発生である状況においては、通知は、カレンダエントリのタイトル、カレンダエントリの発生時刻、および／またはこれらに類似したものを示す情報を有することができる。更に別の例においては、ソフトウェア・イベントが通話の受信である状況においては、通知は、通話の発信者を示す情報、通話が受信されつつあることを示す情報、通話が受信されたことを示す情報、および／または、これらに類似したものを有することができる。通話の発信者を示す情報は、連絡先情報、氏名情報、住所情報、電話番号情報、および／またはこれらに類似したものなどの発信者を示す任意の情報でありえる。
【０１０３】
少なくとも１つの例示用の実施形態においては、通知は、視覚通知、可聴通知、触覚通知、および／またはこれらに類似したものを有する。視覚通知は、通知を示す視覚的情報を有することができる。例えば、視覚通知は、テキスト情報、グラフィカル情報、ビデオ情報、および／またはこれらに類似したものを有することができる。可聴通知は、通知を示す可聴情報を有することができる。例えば、可聴通知は、可聴発話情報、音楽情報、トーン情報、または、装置によって作動されえる音響に対応した任意のその他の情報を有することができる。触覚通知は、通知を示す触覚情報を有することができる。例えば、触覚通知は、振動信号、テクスチャ、温度、および／またはこれらに類似したものを定義する情報でありえる。
【０１０４】
少なくとも１つの例示用の実施形態においては、通知のレンダリングの起動は、視覚通知の表示の起動、可聴通知の作動の起動、触覚通知の作動の起動、および／またはこれらに類似したものを有する。少なくとも１つの例示用の実施形態においては、可聴通知の作動は、トランスデューサが、可聴通知に対応したオーディオ信号を生成するような、スピーカなどのオーディオトランスデューサの作動の起動を有する。例えば、可聴通知は、歌であることが可能であり、歌の作動は、スピーカが、歌に対応したオーディオ信号を生成するように、歌を示す情報をスピーカに送信するステップを有することができる。少なくとも１つの例示用の実施形態においては、触覚通知の作動は、振動トランスデューサ、加熱要素、冷却要素、電気機械的に制御された装置の変形、電気機械的に制御されたテクスチャ、および／またはこれらに類似したものなどの触覚トランスデューサの作動を有する。例えば、触覚通知は、ソフトウェア・イベントを表す振動信号でありえる。このような一例においては、触覚通知のレンダリングは、ユーザーが振動信号を知覚しえるような、振動信号に対応した方式による振動トランスデューサの作動を有することができる。
【０１０５】
図６Ａは、少なくとも１つの実施形態による視覚通知を示す図である。図６Ａの例においては、装置６００は、ディスプレイ６０１上において視覚通知６０２を表示している。視覚通知６０２は、人物の氏名の上方に発話バブル画像を有していることがわかる。この結果、視覚通知６０２は、メッセージの受信を表している。例えば、視覚通知６０２は、装置６００が、ポーラ・アンダーセンから送信されたメッセージを受信するというソフトウェア・イベントを表すことができる。
【０１０６】
多くの状況において、ユーザーは、ユーザーが通知に対して反応することを所望する方式を判定するべく、通知の情報を評価することができる。多くの状況において、ユーザーは、通知の視覚情報を評価するべく、ディスプレイを観察することができる。この結果、ユーザーは、通知の情報を観察するべく、ユーザー対向方向において装置を方向付けすることができる。この結果、ユーザーが通知の視覚情報を評価していることを示す方式により、ユーザーが装置を方向付けした後に、装置が装置の傾斜を入力として評価することが望ましいであろう。従って、装置が、ユーザー対向方向において方向付けされた状態になった後に、装置の傾斜に少なくとも部分的に基づいて、実行するべき動作を判定することが望ましいであろう。
【０１０７】
いくつかの状況においては、ユーザーは、装置がユーザー対向方向において方向付けされた際に装置を観察中であるにも拘らず、必ずしも入力の実行を意図することなしに、装置を傾斜させる場合がある。例えば、ユーザーは、歩行中に、自転車に乗っている最中に、走っている最中に、またはこれらに類似した状態において、ディスプレイを観察しえる。この結果、ユーザーは、装置を観察している最中に身体的活動を実行する場合があり、これには、入力を実行するかまたは任意の特定の動作をさせるなんらのユーザーの意図を伴わない装置の傾斜が伴いえる。従って、装置は、ユーザーが入力として意図していない装置の傾斜に基づいた動作の判定を回避することが望ましいであろう。
【０１０８】
多くの状況においては、ユーザーが、装置のディスプレイを観察しつつ、装置を傾斜させる活動を実行している場合にも、ユーザーは、しばしば、ユーザーがもはや装置のディスプレイを観察できない程度にまで装置を傾斜させることを回避することになる。この結果、ユーザーが、ユーザー対向方向から非ユーザー対向方向に装置を傾斜させることは、ユーザーが装置の意図的な傾斜を実行していることを示しえる。この結果、装置は、装置がユーザー対向方向から非ユーザー対向方向に傾斜させられることに少なくとも部分的に基づいて、実行するべき動作を判定することが望ましいであろう。
【０１０９】
いくつかの状況においては、ユーザーは、装置のディスプレイをもはや観察しないことを所望しえる。この結果、ユーザー対向方向から非ユーザー対向方向への傾斜は、ユーザーが装置のディスプレイの観察をもはや所望していないことを通知しえる。但し、いくつかの状況においては、ユーザー対向方向から非ユーザー対向方向への装置の傾斜は、特定の入力の一部分であることが望ましいであろう。例えば、ユーザー対向方向から非ユーザー対向方向への傾斜は、装置との間におけるユーザーのやり取りに関連するユーザーによる意図的な傾斜を示しえる。この結果、このような傾斜は、ユーザーによる意図的なやり取りを示しえる。
【０１１０】
いくつかの状況においては、装置は、装置のユーザー対向方向から非ユーザー対向方向への傾斜と、これに後続する装置の非ユーザー対向方向からユーザー対向方向への傾斜と、を通知する情報を受け取ることができる。このような状況においては、装置は、このような情報が、ユーザーによって実行された意図的な入力であると判定することが望ましいであろう。いくつかの状況においては、ユーザー対向方向から非ユーザー対向方向への傾斜と非ユーザー対向方向からユーザー対向方向への傾斜が、既定の期間内において発生したことに少なくとも部分的に基づいて、ユーザーの意図を判定することが望ましいであろう。例えば、既定の持続時間は、１秒、２分の１秒、および／またはこれらに類似したものであることが望ましいであろう。この結果、ユーザーは、ユーザー対向方向から非ユーザー対向方向への傾斜と、これに後続する非ユーザー対向方向からユーザー対向方向への傾斜が同一のジェスチャの一部分であるものと解釈しえる。
【０１１１】
このような状況においては、手首装着装置が通知をレンダリングした際に、ユーザー対向方向から非ユーザー対向方向への傾斜と非ユーザー対向方向からユーザー対向方向への傾斜が、既定の期間内において発生することは、通知傾斜作動入力として解釈されえる。少なくとも１つの例示用の実施形態においては、通知傾斜作動入力は、通知によって表されるソフトウェア・イベントと関連付けられた動作の実行などの通知と関連付けられた動作を作動させるためのユーザーの所望を表す入力である。
【０１１２】
少なくとも１つの例示用の実施形態においては、ソフトウェア・イベントと関連付けられた通知をレンダリングした後に、手首装着装置は、手首装着装置がユーザー対向方向から非ユーザー対向方向に傾斜させられたという判定から通知傾斜作動閾値持続時間内において、手首装着装置が非ユーザー対向方向からユーザー対向方向に傾斜させられたという判定に少なくとも部分的に基づいて、実行するべき1つ以上の動作を判定することができる。少なくとも１つの例示用の実施形態においては、通知傾斜作動閾値持続時間は、手首装着装置がユーザー対向方向から非ユーザー対向方向に傾斜させられたという判定の後の手首装着装置が非ユーザー対向方向からユーザー対向方向に傾斜させられたという判定が、通知作動入力として解釈されることになり、ソフトウェア・イベントと関連付けられた動作の実行をさせることになり、または、これらに類似した内容が実行されることになる持続時間である。例えば、通知傾斜作動閾値持続時間は、１秒、２分の１秒、および／またはこれらに類似したものでありえる。
【０１１３】
少なくとも１つの例示用の実施形態においては、装置は、ソフトウェア・イベントと関連付けられた少なくとも１つの動作の実行をさせている。このような起動は、手首装着装置がユーザー対向方向から非ユーザー対向方向に傾斜させられたという判定から通知傾斜作動閾値持続時間内において、手首装着装置が非ユーザー対向方向からその他のユーザー対向方向に傾斜させられたという判定に少なくとも部分的に基づいたものでありえる。例えば、装置は、手首装着装置がユーザー対向方向から非ユーザー対向方向に傾斜させられたという判定から通知傾斜作動閾値持続時間内において、手首装着装置が非ユーザー対向方向からその他のユーザー対向方向に傾斜させられたという判定の欠如に少なくとも部分的に基づいて、ソフトウェア・イベントと関連付けられた動作の実行を回避することができる。この結果、ユーザーは、通知傾斜作動入力により、ソフトウェア・イベントと関連付けられた動作の実行をさせることができる。
【０１１４】
いくつかの状況においては、ソフトウェア・イベントと関連付けられた動作は、装置がソフトウェア・イベントに対して応答する方式を規定することができる。例えば、ソフトウェア・イベントは、電話通話の受信でありえる。このような一例においては、ソフトウェア・イベントと関連付けられた動作は、通話の応答、通話の拒絶、および／またはこれらに類似したものを有することができる。この結果、ユーザーは、通知傾斜作動入力により、通話の拒絶、通話の応答、および／またはこれらに類似したものをさせることができる。
【０１１５】
少なくとも１つの例示用の実施形態においては、ソフトウェア・イベントと関連付けられた1つ以上の動作の実行は、ソフトウェア・イベントと関連付けられた補足情報の判定と、補足情報の少なくとも一部分のレンダリングの起動と、を有する。この結果、ユーザーは、通知傾斜作動入力により、補足情報のレンダリングをさせることができる。少なくとも１つの例示用の実施形態においては、補足情報は、視覚補足情報、可聴補足情報、または触覚補足情報のうちの少なくとも１つを有する。少なくとも１つの例示用の実施形態においては、補足情報は、通知が示さなかったソフトウェア・イベントと関連付けられた情報である。この結果、通知は、補足情報を除外している。ソフトウェア・イベントがメッセージの受信である状況においては、補足情報は、通知から省略された情報でありえる。少なくとも１つの例示用の実施形態においては、補足情報は、メッセージの本文の少なくとも一部分である。ソフトウェア・イベントがカレンダイベントの発生である状況においては、補足情報は、通知から省略された情報でありえる。少なくとも１つの例示用の実施形態においては、補足情報は、カレンダエントリの本文の少なくとも一部分である。例えば、カレンダエントリは、場所、カレンダエントリの記述部、および／またはこれらに類似したものを示す情報を有することができる。このような一例においては、補足情報は、場所、カレンダエントリの記述部、および／またはこれらに類似したものを示す情報を有することができる。
【０１１６】
図６Ｂは、少なくとも１つの例示用の実施形態による補足情報を示す図である。図６Ｂの例においては、視覚補足情報６１２は、図６Ａの視覚通知６０２のメッセージと関連付けられている。図６Ａの例においては、視覚補足情報６１２は、メッセージの本文の少なくとも一部分である。図６Ｂの例においては、ユーザーは、装置が視覚補足情報６１２の判定及び視覚補足情報６１２の表示の動作を実行するようにするべく、視覚通知６０２の表示の後に通知傾斜作動入力を実行している。視覚通知６０２に含まれている情報の一部分が、視覚補足情報６１２の上方において表示されていることがわかる。いくつかの状況においては、このような補足情報の近傍における視覚通知情報の表示は、ユーザーが補足情報の文脈を更に良好に理解することができるように、望ましいであろう。
【０１１７】
いくつかの状況においては、装置が、視覚通知の表示から視覚補足情報の表示への遷移を示すアニメーションを表示することが望ましいであろう。例えば、ユーザーが、遷移が発生していること、通知傾斜作動入力が装置によって判定されたこと、および／またはこれらに類似したことを更に良好に理解できるように、アニメーションを提供することが望ましいであろう。少なくとも１つの例示用の実施形態においては、装置は、視覚通知の表示から視覚補足情報の表示への遷移を示すアニメーションの表示をさせている。
【０１１８】
いくつかの状況においては、アニメーションが、通知傾斜作動入力の傾斜に対応していることが望ましいであろう。例えば、通知傾斜作動入力の完了の前に、装置は、手首装着装置が、非ユーザー対向方向からユーザー対向方向に向かって傾斜していると判定することが可能であり、この場合に、アニメーションの表示の起動は、手首装着装置が、非ユーザー対向方向からユーザー対向方向に向かって傾斜しているという判定に少なくとも部分的に基づいている。このような一例においては、アニメーションの表示の起動は、手首装着装置の現時点の傾斜方向の判定を有することができる。例えば、手首装着装置の現時点の傾斜方向は、非ユーザー対向方向からユーザー対向方向に向かう傾斜における手首装着装置の向きでありえる。このような一例においては、装置は、傾斜方向を表す傾斜進捗百分率を非ユーザー対向方向とユーザー対向方向の間の百分率差として判定することができる。このような一例においては、傾斜進捗百分率は、ゼロパーセントが、現時点の傾斜方向が非ユーザー対向方向と等しいことを示すと共に、１００パーセントが、現時点の傾斜角度がユーザー対向方向に等しいことを示すように、判定されえる。このような一例においては、装置は、傾斜進捗百分率と等しいアニメーション進捗百分率に対応したアニメーションのフレームを判定することができる。この結果、アニメーションの速度は、傾斜の速度によって制御されえる。
【０１１９】
いくつかの状況においては、装置は、アニメーションの表示を開始しているにも拘わらず、手首装着装置がユーザー対向方向に傾斜させられた状態となる前に、通知傾斜作動閾値持続時間が経過していると判定する場合がある。少なくとも１つの例示用の実施形態においては、装置は、手首装着装置がユーザー対向方向から非ユーザー対向方向に傾斜させられたという判定以降に通知傾斜作動閾値持続時間が経過したと判定している。このような一例においては、装置は、手首装着装置がユーザー対向方向から非ユーザー対向方向に傾斜させられたという判定以降に通知傾斜作動閾値持続時間が経過しているという判定に少なくとも部分的に基づいて、アニメーションの表示を終了することができる。
【０１２０】
いくつかの状況においては、手首装着装置がユーザー対向方向から非ユーザー対向方向に傾斜させられたという判定以降に通知傾斜作動閾値持続時間が経過しているという判定の後に、アニメーションを逆転させることが望ましいであろう。このような一例においては、装置は、アニメーションの開始フレームが表示される時点まで、アニメーションの進捗を逆転させることができる。このような一例においては、装置は、アニメーションの開始フレームの表示の後に、アニメーションを伴うことなしに、視覚通知の表示をさせることができる。
【０１２１】
図６Ｃは、少なくとも１つの例示用の実施形態による視覚通知６０２の表示から視覚補足情報６１２の表示への遷移を示すアニメーションを示す図である。アニメーションが、視覚補足情報６１２を明らかにするべく上方にスライドしている視覚通知６０２を示していることがわかる。この結果、アニメーションは、ユーザーが、遷移が発生していること、通知傾斜作動入力が装置によって判定されたこと、および／またはこれに類似した内容を理解することを支援しえる。
【０１２２】
図７は、少なくとも１つの例示用の実施形態による手首装着装置の傾斜に少なくとも部分的に基づいた動作の実行と関連付けられた活動を示すフロー図である。少なくとも１つの例示用の実施形態においては、図７の活動に対応した動作の組が存在している。例えば、図１の電子装置１０などの装置、またはその一部分は、動作の組を利用しえる。装置は、このような動作の実行のために、例えば、図１のプロセッサ１１を含む手段を有することができる。例示用の実施形態においては、例えば、図１の電子装置１０などの装置は、例えば、図１のプロセッサ１１などのプロセッサとの協働状態において、装置が図７の動作の組を実行するようにするべく構成されたコンピュータコードを有する、例えば、図１のメモリ１２などのメモリを有することにより、変形されている。
【０１２３】
ブロック７０２において、装置は、手首装着装置上におけるソフトウェア・イベントの発生を判定している。判定、発生、ソフトウェア・イベント、及び手首装着装置は、図５Ａ〜図５Ｆ及び図６Ａ〜図６Ｃとの関連において記述したものに類似しえる。
【０１２４】
ブロック７０４において、装置は、通知が、ソフトウェア・イベントを表す情報を有するように、ソフトウェア・イベントに少なくとも部分的に基づいて通知を判定している。判定、通知、及び情報は、図６Ａ〜図６Ｃとの関連において記述したものに類似しえる。
【０１２５】
ブロック７０６において、装置は、通知のレンダリングをさせている。通知のレンダリングは、図６Ａ〜図６Ｃとの関連において記述したものに類似しえる。
【０１２６】
ブロック７０８において、装置は、手首装着装置が、ユーザー対向方向から非ユーザー対向方向に傾斜させられたと判定している。判定、傾斜、ユーザー対向方向、及び非ユーザー対向方向は、図４Ａ〜図４Ｄ及び図５Ａ〜図５Ｆとの関連において記述したものに類似しえる。
【０１２７】
ブロック７１０において、装置は、手首装着装置がユーザー対向方向から非ユーザー対向方向に傾斜させられたという判定から通知傾斜作動閾値持続時間内において手首装着装置が非ユーザー対向方向から別のユーザー対向方向に傾斜させられたと判定している。判定、その他のユーザー対向方向、及び傾斜作動閾値持続時間は、図４Ａ〜図４Ｄ、図５Ａ〜図５Ｆ、及び図６Ａ〜図６Ｃとの関連において記述したものに類似しえる。
【０１２８】
ブロック７１２において、装置は、ソフトウェア・イベントと関連付けられた少なくとも１つの動作の実行をさせている。実行及び動作は、図６Ａ〜図６Ｃとの関連において記述したものに類似しえる。この結果、ソフトウェア・イベントと関連付けられた少なくとも１つの動作の実行の起動は、手首装着装置がユーザー対向方向から非ユーザー対向方向に傾斜させられたという判定から通知傾斜作動閾値持続時間内において手首装着装置が非ユーザー対向方向からその他のユーザー対向方向に傾斜させられたという判定に少なくとも部分的に基づくことができる。
【０１２９】
図８は、少なくとも１つの例示用の実施形態による手首装着装置の傾斜に少なくとも部分的に基づいた動作の実行と関連付けられた活動を示すフロー図である。少なくとも１つの例示用の実施形態においては、図８の活動に対応した動作の組が存在している。例えば、図１の電子装置１０などの装置、またはその一部分は、動作の組を利用しえる。装置は、このような動作の実行のために、例えば、図１のプロセッサ１１を含む手段を有することができる。例示用の実施形態においては、例えば、図１の電子装置１０などの装置は、例えば、図１のプロセッサ１１などのプロセッサとの協働状態において、装置が図８の動作の組を実行するようにするべく構成されたコンピュータコードを有する、例えば、図１のメモリ１２などのメモリを有することにより、変形されている。
【０１３０】
上述のように、通知傾斜作動入力の受信を伴うことなしにソフトウェア・イベントと関連付けられた1つ以上の動作の実行を回避することが望ましいであろう。
【０１３１】
ブロック８０２において、装置は、図７のブロック７０２との関連において記述したものと同様に、手首装着装置上におけるソフトウェア・イベントの発生を判定している。ブロック８０４において、装置は、図７のブロック７０４との関連において記述したものと同様に、通知が、ソフトウェアインベントを表す情報を有するように、ソフトウェア・イベントに少なくとも部分的に基づいて通知を判定している。ブロック８０６において、装置は、図７のブロック７０６との関連において記述したものと同様に、通知のレンダリングをさせている。
【０１３２】
ブロック８０８において、装置は、手首装着装置がユーザー対向方向から非ユーザー対向方向に傾斜させられたかどうかを判定している。判定、傾斜、ユーザー対向方向、及び非ユーザー対向方向は、図４Ａ〜図４Ｄ及び図５Ａ〜図５Ｆとの関連において記述したものに類似しえる。装置が、手首装着装置がユーザー対向方向から非ユーザー対向方向に傾斜させられたと判定した場合には、フローは、ブロック８１０に進む。装置が、手首装着装置がユーザー対向方向から非ユーザー対向方向に傾斜されることに失敗したと判定した場合には、フローは、ブロック８０８に戻る。この結果、手首装着装置がユーザー対向方向から非ユーザー対向方向に傾斜させられたと装置が判定する時点まで、装置は、ブロック８０８を反復しえる。
【０１３３】
ブロック８１０において、装置は、通知傾斜作動閾値持続時間が経過したかどうかを判定している。判定及び通知傾斜作動閾値持続時間は、図６Ａ〜図６Ｃとの関連において記述したものに類似しえる。通知傾斜作動閾値持続時間が経過することに失敗していると装置が判定した場合には、フローは、ブロック８１２に進む。通知傾斜作動閾値持続時間が経過したと装置が判定した場合には、フローは、ブロック８０８に戻る。この結果、装置は、通知傾斜作動閾値持続時間が経過したという判定に少なくとも部分的に基づいてソフトウェア・イベントと関連付けられた動作の実行を回避しえる。
【０１３４】
ブロック８１２において、装置は、手首装着装置が非ユーザー対向方向から別のユーザー対向方向に傾斜させられたかどうかを判定している。判定及びその他のユーザー対向方向は、図４Ａ〜図４Ｄ、図５Ａ〜図５Ｆ、及び図６Ａ〜図６Ｃとの関連において記述したものに類似しえる。手首装着装置が非ユーザー対向方向から別のユーザー対向方向に傾斜させられたと装置が判定した場合に、フローは、ブロック８１４に進む。手首装着装置が非ユーザー対向方向から別のユーザー対向方向に傾斜させられることに失敗したと装置が判定した場合には、フローは、ブロック８１０に進む。この結果、装置は、手首装着装置が非ユーザー対向方向から別のユーザー対向方向に傾斜させられることに失敗したという判定に少なくとも部分的に基づいて、ソフトウェア・イベントと関連付けられた動作の実行を回避しえる。
【０１３５】
ブロック８１４においては、装置は、図７のブロック７１２との関連において記述したものと同様に、ソフトウェア・イベントと関連付けられた少なくとも１つの動作の実行をさせている。
【０１３６】
図９は、少なくとも１つの例示用の実施形態による手首装着装置の傾斜に少なくとも部分的に基づいた動作の実行と関連付けられた活動を示すフロー図である。少なくとも１つの例示用の実施形態においては、図９の活動に対応した動作の組が存在している。例えば、図１の電子装置１０などの装置、またはその一部分は、動作の組を利用しえる。装置は、このような動作の実行のために、例えば、図１のプロセッサ１１を含む手段を有することができる。例示用の実施形態においては、例えば、図１の電子装置１０などの装置は、例えば、図１のプロセッサ１１などのプロセッサとの協働状態において、装置が図９の動作の組を実行するようにするべく構成されたコンピュータコードを有する、例えば、図１のメモリ１２などのメモリを有することにより、変形されている。
【０１３７】
上述のように、いくつかの状況においては、ソフトウェア・イベントと関連付けられた動作は、ソフトウェア・イベントと関連付けられた補足情報のレンダリングを有することができる。
【０１３８】
ブロック９０２において、装置は、図７のブロック７０２との関連において記述したものと同様に、手首装着装置上におけるソフトウェア・イベントの発生を判定している。ブロック９０４において、装置は、図７のブロック７０４との関連において記述したものと同様に、通知が、ソフトウェア・イベントを表す情報を有するように、ソフトウェア・イベントに少なくとも部分的に基づいて通知を判定している。ブロック９０６において、装置は、図７のブロック７０６との関連において記述したものと同様に、通知のレンダリングをさせている。ブロック９０８において、装置は、図７のブロック７０８との関連において記述したものと同様に、手首装着装置がユーザー対向方向から非ユーザー対向方向に傾斜させられたと判定している。ブロック９１０において、装置は、図７のブロック７１０との関連において記述したものと同様に、手首装着装置がユーザー対向方向から非ユーザー多対向方向に傾斜させられたという判定から通知傾斜作動閾値持続時間内において手首装着装置が非ユーザー対向方向から別のユーザー対向方向に傾斜させられたと判定している。
【０１３９】
ブロック９１２において、装置は、ソフトウェア・イベントと関連付けられた補足情報を判定している。判定及び補足情報は、図６Ａ〜図６Ｃとの関連において記述したものに類似しえる。
【０１４０】
ブロック９１４において、装置は、補足情報の少なくとも一部分のレンダリングをさせている。レンダリングは、図６Ａ〜図６Ｃとの関連において記述したものに類似しえる。
【０１４１】
図１０は、少なくとも１つの例示用の実施形態による手首装着装置の傾斜に少なくとも部分的に基づいた動作の実行と関連付けられた活動を示すフロー図である。少なくとも１つの例示用の実施形態においては、図１０の活動と対応した動作の組が存在している。例えば、図１の電子装置１０などの装置、またはその一部分は、動作の組を利用しえる。装置は、このような動作の実行のために、例えば、図１のプロセッサ１１を含む手段を有することができる。例示用の実施形態においては、例えば、図１の電子装置１０などの装置は、例えば、図１のプロセッサ１１などのプロセッサとの協働状態において、装置が図１０の動作の組を実行するようにするべく構成されたコンピュータコードを有する、例えば、図１のメモリ１２などのメモリを有することにより、変形されている。
【０１４２】
上述のように、いくつかの状況においては、視覚通知の表示から視覚補足情報の表示への遷移を表すアニメーションを提供することが望ましいであろう。
【０１４３】
ブロック１００２において、装置は、図７のブロック７０２との関連において記述したものと同様に、手首装着装置上におけるソフトウェア・イベントの発生を判定している。ブロック１００４において、装置は、視覚通知が、ソフトウェア・イベントを表す情報を有するように、ソフトウェア・イベントに少なくとも部分的に基づいて視覚情報を判定している。判定、視覚通知、及び情報は、図６Ａ〜図６Ｃとの関連において記述したものに類似しえる。
【０１４４】
ブロック１００６において、装置は、視覚通知の表示をさせている。視覚通知の表示は、図６Ａ〜図６Ｃとの関連において記述したものに類似しえる。
【０１４５】
ブロック１００８において、装置は、図７のブロック７０８との関連において記述したものと同様に、手首装着装置がユーザー対向方向から非ユーザー対向方向に傾斜させられたと判定している。ブロック１０１０において、装置は、図７のブロック７１０との関連において記述したものと同様に、手首装着装置がユーザー対向方向から非ユーザー対向方向に傾斜させられたという判定から通知傾斜作動閾値持続時間内において手首装着装置が非ユーザー対向方向から別のユーザー対向方向に傾斜させられたと判定している。
【０１４６】
ブロック１０１２において、装置は、ソフトウェア・イベントと関連付けられた視覚補足情報を判定している。判定及び視覚補足情報は、図６Ａ〜図６Ｃとの関連において記述したものに類似しえる。
【０１４７】
ブロック１０１４において、装置は、視覚通知の表示から視覚補足情報の表示への遷移を示すアニメーションの表示をさせている。表示及びアニメーションは、図６Ａ〜図６Ｃとの関連において記述したものに類似しえる。
【０１４８】
ブロック１０１６において、装置は、視覚補足情報の少なくとも一部分の表示をさせている。視覚補足情報の表示は、図６Ａ〜図６Ｃとの関連において記述したものに類似しえる。
【０１４９】
図１１は、少なくとも１つの例示用の実施形態による手首装着装置の傾斜に少なくとも部分的に基づいた動作の実行と関連付けられた活動を示すフロー図である。少なくとも１つの例示用の実施形態においては、図１１の活動に対応した動作の組が存在している。例えば、図１の電子装置１０などの装置、またはその一部分は、動作の組を利用しえる。装置は、このような動作の実行のために、例えば、図１のプロセッサ１１を含む手段を有することができる。例示用の実施形態においては、例えば、図１の電子装置１０などの装置は、例えば、図１のプロセッサ１１などのプロセッサとの協働状態において、装置が図１１の動作の組を実行するようにするべく構成されたコンピュータコードを有する、例えば、図１のメモリ１２などのメモリを有することにより、変形されている。
【０１５０】
上述のように、ユーザー対向方向閾値に少なくとも部分的に基づいて、装置の向きがユーザー対向方向にあるかどうかを判定することが望ましいであろう。
【０１５１】
ブロック１１０２において、装置は、図７のブロック７０２との関連において記述したものと同様に、手首装着装置上におけるソフトウェア・イベントの発生を判定している。ブロック１１０４において、装置は、図７のブロック７０４との関連において記述したものと同様に、通知が、ソフトウェア・イベントを表す情報を有するように、ソフトウェア・イベントに少なくとも部分的に基づいて通知を判定している。ブロック１１０６において、装置は、図７のブロック７０６との関連において記述したものと同様に、通知のレンダリングをさせている。
【０１５２】
ブロック１１０８において、装置は、手首装着装置がユーザー対向方向において方向付けされていると判定している。判定及びユーザー対向方向は、図４Ａ〜図４Ｄ及び図５Ａ〜図５Ｆとの関連において記述したものに類似しえる。
【０１５３】
ブロック１１１０において、装置は、手首装着装置が、ユーザー対向方向閾値を超えた方向において方向付けされた状態になったと判定している。判定及びユーザー対向方向閾値は、図４Ａ〜図４Ｄ及び図５Ａ〜図５Ｆとの関連で記述したものに類似しえる。
【０１５４】
ブロック１１１２において、装置は、手首装着装置が、ユーザー対向方向閾値内の方向において方向付けされた状態になったと判定している。判定は、図４Ａ〜図４Ｄ及び図５Ａ〜図５Ｆとの関連において記述したものに類似しえる。
【０１５５】
ブロック１１１４において、装置は、図７のブロック７１２との関連において記述したものと同様に、ソフトウェア・イベントと関連付けられた少なくとも１つの動作の実行をさせている。
【０１５６】
図１２は、少なくとも１つの例示用の実施形態による手首装着装置の傾斜に少なくとも部分的に基づいた動作の実行と関連付けられた活動を示すフロー図である。少なくとも１つの例示用の実施形態においては、図１２の活動に対応した動作の組が存在している。例えば、図１の電子装置１０などの装置、またはその一部分は、動作の組を利用しえる。装置は、このような動作の実行のために、例えば、図１のプロセッサ１１を含む手段を有することができる。例示用の実施形態においては、例えば、図１の電子装置１０などの装置は、例えば、図１のプロセッサ１１などのプロセッサとの協働状態において、装置が図１２の動作の組を実行するようにするべく構成されたコンピュータコードを有する、例えば、図１のメモリ１２などのメモリを有することにより、変形されている。
【０１５７】
上述のように、装置がユーザー対向方向において方向付けされる前には、装置の傾斜が入力を示していると判定することを回避することが望ましいであろう。
【０１５８】
ブロック１２０２において、図７のブロック７０２との関連において記述したものと同様に、装置は、手首装着装置上におけるソフトウェア・イベントの発生を判定している。ブロック１２０４において、装置は、図７のブロック７０４との関連において記述したものと同様に、通知が、ソフトウェア・イベントを表す情報を有するように、ソフトウェア・イベントに少なくとも部分的に基づいて通知を判定している。ブロック１２０６において、装置は、図７のブロック７０６との関連において記述したものと同様に、通知のレンダリングをさせている。
【０１５９】
ブロック１２０８において、装置は、手首装着装置が別の非ユーザー対向方向において方向付けされていると判定している。判定及び非ユーザー対向方向は、図４Ａ〜図４Ｄ及び図５Ａ〜図５Ｆとの関連において記述したものに類似しえる。
【０１６０】
ブロック１２１０において、装置は、手首装着装置がユーザー対向方向において方向付けされた状態になったと判定している。判定及びユーザー対向方向は、図４Ａ〜図４Ｄ及び図５Ａ〜図５Ｆとの関連において記述したものに類似しえる。この結果、手首装着装置がユーザー対向方向から非ユーザー対向方向に傾斜したという判定は、手首装着装置がその他の非ユーザー対向方向において方向付けされているという判定によって予測されえる。
【０１６１】
ブロック１２１２において、装置は、図１１のブロック１１１０との関連において記述したものと同様に、手首装着装置が、ユーザー対向方向閾値を超えた方向において方向付けされた状態になったと判定している。ブロック１２１４において、装置は、図１１のブロック１１１２との関連において記述したものと同様に、手首装着装置が、ユーザー対向方向閾値内の方向において方向付けされた状態になったと判定している。ブロック１２１６において、装置は、図７のブロック７１２との関連において記述したものと同様に、ソフトウェア・イベントと関連付けられた少なくとも１つの動作の実行をさせている。
【０１６２】
図１３は、少なくとも１つの例示用の実施形態による手首装着装置の傾斜に少なくとも部分的に基づいた動作の実行と関連付けられた活動を示すフロー図である。少なくとも１つの例示用の実施形態においては、図１３の活動に対応した動作の組が存在している。例えば、図１の電子装置１０などの装置、またはその他の一部分は、動作の組を利用しえる。装置は、このような動作の実行のために、例えば、図１のプロセッサ１１を含む手段を有することができる。例示用の実施形態においては、例えば、図１の電子装置１０などの装置は、例えば、図１のプロセッサ１１などのプロセッサと協働する状態において、装置が図１３の動作の組を実行するようにするべく構成されたコンピュータコードを有する、例えば、図１のメモリ１２などのメモリを有することにより、変形されている。
【０１６３】
いくつかの状況においては、ユーザーは、通知を終了させることを所望する場合がある。このような状況においては、装置が通知のレンダリングを終了するようにする入力をユーザーが実行できるようにすることが望ましいであろう。少なくとも１つの例示用の実施形態においては、装置は、手首装着装置がユーザー対向方向から通知終了向きに再方向付けされたという判定に少なくとも部分的に基づいて、通知のレンダリングの終了をさせるように構成されている。少なくとも１つの例示用の実施形態においては、通知終了向きは、手首装着装置がその上部において装着されている手首の前腕が解剖学的位置にあることを示している。例えば、図４Ｄのユーザー４０２の前腕の向きは、通知終了向きに対応しえる。別の例においては、通知終了向きは、重力が通知終了重力閾値の横向きの状態にあることを示している。このような例においては、図５Ｅの重力方向５４５は、通知終了向きに対応しえる。更に別の例においては、通知終了重力閾値は、純粋に横向きの方向から４５度の方向である。このような例においては、図５Ｆの重力方向５５５は、通知終了向きに対応しえる。
【０１６４】
少なくとも１つの例示用の実施形態においては、通知終了向きは、重力が通知終了重力閾値の横向きの状態にあることを示している。少なくとも１つの例示用の実施形態においては、通知終了重力閾値は、それを超えた場合に、装置の向きが通知終了向きにあると見なされる方向である。少なくとも１つの例示用の実施形態においては、通知終了重力閾値は、純粋に横向きの方向から４５度の方向である。例えば、通知終了重力閾値は、図５Ｆの重力方向５５５に対応しえる。
【０１６５】
ブロック１３０２において、装置は、図７のブロック７０２との関連において記述したものと同様に、手首装着装置上におけるソフトウェア・イベントの発生を判定している。ブロック１３０４において、装置は、図７のブロック７０４との関連において記述したものと同様に、通知が、ソフトウェア・イベントを表す情報を有するように、ソフトウェア・イベントに少なくとも部分的に基づいて通知を判定している。ブロック１３０６において、装置は、図７のブロック７０６との関連において記述したものと同様に、通知のレンダリングをさせている。
【０１６６】
ブロック１３０８において、装置は、手首装着装置がユーザー対向方向から非ユーザー対向方向に傾斜させられたかどうかを判定している。判定、傾斜、ユーザー対向方向、及び非ユーザー対向方向は、図４Ａ〜図４Ｄ及び図５Ａ〜５Ｆとの関連において記述したものに類似しえる。手首装着装置がユーザー対向方向から非ユーザー対向方向に傾斜させられたと装置が判定した場合には、フローは、ブロック１３１２に進む。手首装着装置がユーザー対向方向から非ユーザー対向方向に傾斜させられることに失敗したと装置が判定した場合には、フローは、ブロック１３１０に進む。
【０１６７】
ブロック１３１０において、装置は、手首装着装置がユーザー対向方向から通知終了向きに再方向付けされたかどうかを判定している。手首装着装置がユーザー対向方向から通知終了向きに再方向付けされたと装置が判定した場合には、フローは、ブロック１３１８に進む。手首装着装置がユーザー対向方向から通知終了向きに再方向付けされることに失敗したと装置が判定した場合には、フローは、ブロック１３０８に戻る。
【０１６８】
ブロック１３１２において、装置は、通知傾斜作動閾値持続時間が経過したかどうかを判定している。判定及び通知傾斜作動閾値持続時間は、図６Ａ〜図６Ｃとの関連において記述したものに類似しえる。通知傾斜作動閾値持続時間が経過することに失敗していると装置が判定した場合には、フローは、ブロック１３１４に進む。通知傾斜作動閾値持続時間が経過したと装置が判定した場合には、フローは、ブロック１３０８に戻る。
【０１６９】
ブロック１３１４において、装置は、手首装着装置が非ユーザー対向方向から別のユーザー対向方向に傾斜させられたかどうかを判定している。判定及びその他のユーザー対向方向は、図４Ａ〜図４Ｄ、図５Ａ〜図５Ｆ、及び図６Ａ及び図６Ｃとの関連において記述したものに類似しえる。手首装着装置が非ユーザー対向方向から別のユーザー対向方向に傾斜させられたと装置が判定した場合には、フローは、ブロック１３２０に進む。手首装着装置が非ユーザー対向方向から別のユーザー対向方向に傾斜させられることに失敗したと装置が判定した場合には、フローは、ブロック１３１６に進む。
【０１７０】
ブロック１３１６において、装置は、手首装着装置がユーザー対向方向から通知終了向きに再方向付けされたかどうかを判定している。手首装着装置がユーザー対向方向から通知終了向きに再方向付けされたと装置が判定した場合には、フローは、ブロック１３１８に進む。手首装着装置がユーザー対向方向から通知終了向きに再方向付けされることに失敗したと装置が判定した場合には、フローは、ブロック１３１２に進む。
【０１７１】
ブロック１３１８において、装置は、通知のレンダリングを終了している。
【０１７２】
ブロック１３２０において、装置は、図７のブロック７１２との関連において記述したものと同様に、ソフトウェア・イベントと関連付けられた少なくとも１つの動作の実行をさせている。
【０１７３】
本発明の実施形態は、ソフトウェア、ハードウェア、アプリケーションロジック、或いは、ソフトウェア、ハードウェア、及びアプリケーションロジックの組合せにおいて実装されえる。ソフトウェア、アプリケーションロジック、および／またはハードウェアは、装置、別個の装置、または複数の別個の装置上において存在しえる。必要に応じて、ソフトウェア、アプリケーションロジック、および／またはハードウェアの一部分は、装置上において存在することが可能であり、ソフトウェア、アプリケーションロジック、および／またはハードウェアの一部分は、別個の装置上において存在することが可能であり、ソフトウェア、アプリケーションロジック、および／またはハードウェアの一部分は、複数の別個の装置上において存在することができる。例示用の実施形態においては、アプリケーションロジック、ソフトウェア、または命令セットは、様々な従来のコンピュータ可読媒体のうちのいずれか１つの上部において維持されている。
【０１７４】
必要に応じて、本明細書において記述されている異なる機能は、異なる順序で、および／または、互いに同時に、実行されえる。例えば、図７のブロック７０２は、図７のブロック７０４の後で実行されえる。更には、必要に応じて、上述の機能のうちの１つまたは複数は、任意選択であることも可能であり、或いは、組み合わせられることもできる。例えば、図７のブロック７０２は、任意選択であることも可能であり、または、図７のブロック７０４と組み合わせられることもできる。
【０１７５】
本発明の様々な態様が独立請求項において記述されているが、本発明のその他の態様は、独立請求項の特徴との間における記述されている実施形態および／または従属請求項からの特徴のその他の組合せをも有しており、従って、請求項において明示的に記述されている組合せのみではない。
【０１７６】
又、以上においては、本発明の例示用の実施形態について記述しているが、これらの記述は、限定の意味において理解されるべきはないことに留意されたい。むしろ、添付の請求項において定義されている本発明の範囲を逸脱することなしに実施されえる変形及び変更が存在している。
【図１】
2017511932.tif 000003
【図２】
2017511932.tif 000004
【図３Ａ】
2017511932.tif 000005
【図３Ｂ】
2017511932.tif 000006
【図３Ｃ】
2017511932.tif 000007
【図３Ｄ】
2017511932.tif 000008
【図４Ａ】
2017511932.tif 000009
【図４Ｂ】
2017511932.tif 000010
【図４Ｃ】
2017511932.tif 000011
【図４Ｄ】
2017511932.tif 000012
【図５Ａ】
2017511932.tif 000013
【図５Ｂ】
2017511932.tif 000014
【図５Ｃ】
2017511932.tif 000015
【図５Ｄ】
2017511932.tif 000016
【図５Ｅ】
2017511932.tif 000017
【図５Ｆ】
2017511932.tif 000018
【図６Ａ】
2017511932.tif 000019
【図６Ｂ】
2017511932.tif 000020
【図６Ｃ】
2017511932.tif 000021
【図７】
2017511932.tif 000022
【図８】
2017511932.tif 000023
【図９】
2017511932.tif 000024
【図１０】
2017511932.tif 000025
【図１１】
2017511932.tif 000026
【図１２】
2017511932.tif 000027
【図１３】
2017511932.tif 000028
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
手首装着装置の上におけるソフトウェア・イベントの発生を決定するステップと、
通知が、前記ソフトウェア・イベントを表す情報を含むように、前記ソフトウェア・イベントに少なくとも部分的に基づいて、前記通知を決定するステップと、
前記通知のレンダリングをさせるステップと、
前記手首装着装置を、ユーザー対向方向から非ユーザー対向方向に傾斜させたと判断するステップと、
前記手首装着装置を、前記ユーザー対向方向から前記非ユーザー対向方向に傾斜させたとの判断から、通知傾斜作動閾値持続時間内において、前記手首装着装置を、前記非ユーザー対向方向から別のユーザー対向方向に傾斜させたと判断するステップと、
前記手首装着装置を、前記ユーザー対向方向から前記非ユーザー対向方向に傾斜させたとの判断から、前記通知傾斜作動閾値持続時間内において、前記手首装着装置を、前記非ユーザー対向方向から、前記別のユーザー対向方向に傾斜させたとの前記判断に少なくとも部分的に基づいて、前記ソフトウェア・イベントと結びついた少なくとも１つの動作の実行をさせるステップと、
を含む方法。
【請求項２】
前記ソフトウェア・イベントと結びついた前記動作は、前記ソフトウェア・イベントと結びついた補足情報を決定するステップと、
前記補足情報の少なくとも一部分のレンダリングをさせるステップと、
を含む請求項１に記載の方法。
【請求項３】
前記通知が、前記補足情報の一部分を含むことに失敗している、請求項２に記載の方法。
【請求項４】
前記通知は、前記補足情報を除外している請求項２に記載の方法。
【請求項５】
前記通知の表示から前記補足情報の表示への遷移を示すアニメーションの表示をさせるステップを更に含む請求項２に記載の方法。
【請求項６】
前記手首装着装置が、前記非ユーザー対向方向から前記別のユーザー対向方向に向かって傾斜していると判断するステップを更に含み、
前記アニメーションの表示をさせるステップは、前記手首装着装置が、前記非ユーザー対向方向から前記別のユーザー対向方向に向かって傾斜しているとの前記判断に少なくとも部分的に基づいている、
請求項５に記載の方法。
【請求項７】
前記手首装着装置を、前記ユーザー対向方向から前記非ユーザー対向方向に傾斜させたとの判断の時点から前記通知傾斜作動閾値持続時間が経過していると判断するステップと、
前記手首装着装置を、前記ユーザー対向方向から前記非ユーザー対向方向に傾斜させたとの判断の時点から前記通知傾斜作動閾値持続時間が経過しているとの判断に少なくとも部分的に基づいて、前記アニメーションの表示を終了するステップと、
をさらに含む請求項５に記載の方法。
【請求項８】
前記手首装着装置を、前記ユーザー対向方向から前記非ユーザー対向方向に傾斜させたと判断するステップは、
前記手首装着装置がユーザー対向方向において方向付けされていると判断するステップと、
前記手首装着装置がユーザー対向方向閾値を超えた方向において方向付けされた状態になったと判断するステップと、を含む、
請求項１に記載の方法。
【請求項９】
前記手首装着装置を、前記非ユーザー対向方向から前記別のユーザー対向方向に傾斜させたと判断するステップは、前記手首装着装置が、ユーザー対向方向閾値内の方向において方向付けされた状態になったと判断するステップを含む、請求項８に記載の方法。
【請求項１０】
前記手首装着装置が別の非ユーザー対向方向において方向付けされていると判断するステップと、
前記手首装着装置が前記ユーザー対向方向において方向付けされた状態になったと判断するステップと、
を更に含み、
前記手首装着装置を、前記ユーザー対向方向から前記非ユーザー対向方向に傾斜させたとの判断は、前記手首装着装置が前記別の非ユーザー対向方向において方向付けされているとの判断によって予測される、
請求項８に記載の方法。
【請求項１１】
前記手首装着装置の上における前記ソフトウェア・イベントの別の発生を決定するステップと、
別の通知が、前記ソフトウェア・イベントを表す情報を含むように、前記ソフトウェア・イベントに少なくとも部分的に基づいて、前記別の通知を決定するステップと、
前記通知のレンダリングをさせるステップと、
前記手首装着装置がユーザー対向方向から通知終了向きに再方向付けされたと判断するステップと、
前記手首装着装置が前記ユーザー対向方向から前記通知終了向きに再方向付けされたとの前記判断に少なくとも部分的に基づいて、前記別の通知のレンダリングを終了するステップと、
をさらに含む請求項１に記載の方法。
【請求項１２】
前記別のユーザー対向方向が、前記ユーザー対向方向である、請求項１に記載の方法。
【請求項１３】
ディスプレイと、少なくとも１つのプロセッサと、コンピュータ・プログラム・コードを含む少なくとも１つのメモリとを備える手首装着装置であって、
前記少なくとも1つのメモリと、前記コンピュータ・プログラム・コードとは、前記少なくとも1つのプロセッサにより、前記手首装着装置に、少なくとも、
通知の発生を決定するステップと、
前記通知のレンダリングをさせるステップであって、該通知は、前記ディスプレイの上で提示される情報を含む、ステップと、
前記手首装着装置を、前記ディスプレイに関して、ユーザー対向方向から非ユーザー対向方向に傾斜させたと判断するステップと、
前記手首装着装置を、前記ユーザー対向方向から前記非ユーザー対向方向に傾斜させたとの判断から、通知傾斜作動閾値持続時間内において、前記手首装着装置を、前記非ユーザー対向方向から別のユーザー対向方向に傾斜させたと判断するステップと、
前記手首装着装置を、前記ユーザー対向方向から前記非ユーザー対向方向に傾斜させたとの判断から、前記通知傾斜作動閾値持続時間内において、前記手首装着装置を、前記非ユーザー対向方向から、前記別のユーザー対向方向に傾斜させたとの前記判断に少なくとも部分的に基づいて、前記通知に結びついた少なくとも１つの動作の実行をさせるステップと、
を実行させるように構成された、手首装着装置。
【請求項１４】
前記通知と結びついた前記動作は、前記通知に結びついた補足情報を決定するステップと、
前記補足情報の少なくとも一部分のレンダリングをさせるステップと、
を含む請求項１３に記載の手首装着装置。
【請求項１５】
前記通知から前記補足情報への遷移の表示をさせるステップを更に備える請求項１４に記載の手首装着装置。
【請求項１６】
前記手首装着装置を、前記ユーザー対向方向から前記非ユーザー対向方向に傾斜させたとの判断の時点から前記通知傾斜作動閾値持続時間が経過していると判断するステップと、
前記手首装着装置を、前記ユーザー対向方向から前記非ユーザー対向方向に傾斜させたとの判断の時点から前記通知傾斜作動閾値持続時間が経過しているとの判断に少なくとも部分的に基づいて、前記遷移の表示を終了するステップと、
を更に備える請求項15に記載の手首装着装置。
【請求項１７】
前記手首装着装置を、前記ユーザー対向方向から前記非ユーザー対向方向に傾斜させたと判断するステップが、
前記手首装着装置は、ユーザー対向方向において方向付けされていると判断するステップと、
前記手首装着装置がユーザー対向方向閾値を超えた方向において方向付けされた状態になったと判断するステップと、を含む、
請求項１３に記載の手首装着装置。
【請求項１８】
前記手首装着装置を、前記非ユーザー対向方向から前記別のユーザー対向方向に傾斜させたと判断するステップは、前記手首装着装置がユーザー対向方向閾値内の方向において方向付けされた状態になったと判断するステップを含む、請求項１３に記載の手首装着装置。
【請求項１９】
前記別のユーザー対向方向が、前記ユーザー対向方向である、請求項１３に記載の手首装着装置。
【請求項２０】
少なくとも１つのプロセッサで実行されるとき、少なくとも、手首装着装置に、
通知の発生を決定するステップと、
前記通知のレンダリングをさせるステップであって、該通知は、ディスプレイの上で提示される情報を含む、ステップと、
前記手首装着装置を、前記ディスプレイに関して、ユーザー対向方向から非ユーザー対向方向に傾斜させたと判断するステップと、
前記手首装着装置を、前記ユーザー対向方向から前記非ユーザー対向方向に傾斜させたとの判断から、通知傾斜作動閾値持続時間内において、前記手首装着装置を、前記非ユーザー対向方向から別のユーザー対向方向に傾斜させたと判断するステップと、
前記手首装着装置を、前記ユーザー対向方向から前記非ユーザー対向方向に傾斜させたとの判断から、前記通知傾斜作動閾値持続時間内において、前記手首装着装置を、前記非ユーザー対向方向から、前記別のユーザー対向方向に傾斜させたとの前記判断に少なくとも部分的に基づいて、前記通知に結びついた少なくとも１つの動作の実行をさせるステップと、
を実行させる実行可能命令を備えるコンピュータ・プログラム。
【国際調査報告】
2017511932.tif 000029
2017511932.tif 000030